(57)【要約】【課題】  非効率な情報保存記録機能から、紙を開放し、また、紙の優れた表示品質を温存し、さらに、紙に印刷された情報を、システムに簡単に取り込み、容易に加工することができる電子情報システムを提供することを目的とするものである。【解決手段】  ＩＤコードが記憶されている情報表示媒体に印刷されているコンテンツ情報と、上記ＩＤコードと上記コンテンツ情報との対応関係とを記憶手段に記憶し、読取手段が情報表示媒体から読み取ったＩＤコードに基づいて、記憶手段からコンテンツ情報を検索するコンテンツ情報検索手段を有し、複数の情報表示媒体から、複数のＩＤコードを順次読み取り、または実質的に一括読み取り、この読み取ったＩＤコードに基づいて、記憶手段からコンテンツ情報を検索し、利用する。【選択図】  図１
2006053686.tif 000002
【特許請求の範囲】
【請求項１】
ネットワークを介して、電子情報を通信することができる電子情報システムにおいて、
ＩＤコードが記憶されている情報表示媒体に印刷されているコンテンツ情報と、上記ＩＤコードと上記コンテンツ情報との対応関係とを記憶する記憶手段と；
上記情報表示媒体から、上記ＩＤコードを読み取る読取手段を具備する印刷手段と；
上記読取手段が上記情報表示媒体から読み取った上記ＩＤコードと、上記情報表示媒体に印刷されているコンテンツ情報との対応関係に基づいて、上記記憶手段からコンテンツ情報を検索するコンテンツ情報検索手段と；
を有し、複数の上記情報表示媒体から、複数の上記ＩＤコードを順次読み取り、または実質的に一括読み取り、この読み取ったＩＤコードに基づいて、上記記憶手段からコンテンツ情報を検索し、利用することを特徴とする電子情報システム。
【請求項２】
請求項１において、
重ね合わせた複数の上記情報表示媒体のＩＤ情報を読み取る読取手段の近くに、上記各情報表示媒体のＩＤコードを集めることによって、上記ＩＤコードの順次読み取り、または一括読み取りを行なうことを特徴とする電子情報システム。
【請求項３】
請求項１において、
複数の印刷された上記情報表示媒体から、複数のＩＤコードを順次読み取り、または実質的に一括読み取りし、上記読み取ったＩＤコードに対応するコンテンツ情報を、ダウンロードし、印刷することによって、複数枚の印刷された情報記録媒体を複製することを特徴とする電子情報システム。
【請求項４】
請求項１において、
複数の印刷された上記情報表示媒体から、複数のＩＤコードを順次読み取り、または実質的に一括読み取りし、上記ＩＤコードに対応するコンテンツ情報を、ダウンロードし、電子的に修正加工することによって、複数枚の印刷された情報記録媒体のコンテンツを修正することを特徴とする電子情報システム。
【請求項５】
請求項１において、
複数の上記情報表示媒体上のＩＤタグを貼り付ける位置を、特定の領域内でランダムに散らして設定することを特徴とする電子情報システム。
【請求項６】
請求項１において、
上記情報表示媒体を重ねた順序を指定する情報と、ＩＤコードとを、各ＲＦＩＤタグに記録し、実際に重ねた順序によらずに、ＩＤ情報を読み取り、指定された順序で印刷することを特徴とする電子情報システム。
【請求項７】
請求項１において、
上記情報表示媒体からＩＤコードを読み取る読取手段を有する印刷手段を備え、上記印刷手段による上記情報表示媒体に対するコンテンツ情報の印刷時に、上記印刷手段の上記読取手段によって上記情報表示媒体からＩＤコードを読み取り、上記読み取られたＩＤコードと上記情報表示媒体に印刷されたコンテンツ情報との対応関係を上記記憶手段に登録することを特徴とする電子情報システム。
【請求項８】
請求項１において、
上記情報表示媒体のＩＤコードは、上記情報表示媒体に対するコンテンツ情報の印刷時に、上記ＲＦＩＤタグに書き込まれることを特徴とする電子情報システム。
【請求項９】
請求項１において、
１つのコンテンツ情報が複数の情報表示媒体にまたがって印刷される場合、上記複数の情報表示媒体の全体に対して、１つのＩＤコードが対応付けられていることを特徴とする電子情報システム。
【請求項１０】
請求項１において、
上記読取手段は、上記ネットワークに接続可能な情報処理装置に接続されていることを特徴とする電子情報システム。
【請求項１１】
請求項１において、
上記読取手段は、上記ネットワークに接続可能な携帯電話機に内蔵されていることを特徴とする電子情報システム。
【請求項１２】
請求項１において、
上記読取手段は、上記ネットワークに接続可能な携帯端末に内蔵されていることを特徴とする電子情報システム。
【請求項１３】
請求項１において、
上記情報表示媒体のＩＤコードは、上記情報表示媒体に印刷されているコンテンツ情報のファイル名としても用いることを特徴とする電子情報システム。
【請求項１４】
請求項１において、
上記情報表示媒体に印刷するコンテンツ情報が同一であるか否かに関わらず、上記各情報表示媒体に、ＩＤコードを重複なく付与することを特徴とする電子情報システム。
【請求項１５】
請求項１において、
上記情報表示媒体のＩＤコードは、上記情報表示媒体に対するコンテンツ情報の印刷時に、必要に応じて書き換えできることを特徴とする電子情報システム。
【請求項１６】
請求項１において、
上記記憶手段は、上記印刷手段が上記情報表示媒体に印刷されたコンテンツ情報の内容を書き換えて印刷する場合、書き換えた新しいコンテンツ情報と、上記新しいコンテンツ情報を印刷する別の情報表示媒体のＩＤコードとを対応付けて記憶することを特徴とする電子情報システム。
【請求項１７】
請求項１において、
上記情報表示媒体のＲＦＩＤタグに対するＩＤコードの読み取り、またはＩＤコードの読み取りおよび書き込みは、電磁波によって行うことを特徴とする電子情報システム。
【請求項１８】
請求項１において、
上記印刷手段は、上記読取手段で上記情報表示媒体から読み取ったＩＤコードを、上記情報表示媒体に印刷するコンテンツ情報のアドレスと対応付けて上記記憶手段に転送することを特徴とする電子情報システム。
【請求項１９】
請求項１において、
上記情報表示媒体のＲＦＩＤタグのＩＤコードのデータ形式を、標準化された既存のＩＤコードのデータ形式に一致させることを特徴とする電子情報システム。
【発明の詳細な説明】
【技術分野】
【０００１】
本発明は、電子情報システムに関し、特に、パーソナルコンピュータ（以下パソコン）等の情報処理装置が接続されているネットワーク上の記憶装置、またはネットワーク上のサーバまたは大型のメインフレーム等の情報処理装置に記憶されている情報を、ユーザが使いやすい形で利用可能とする場合に好適な電子情報システムに関する。
【背景技術】
【０００２】
紙にＩＤ情報をもたせ、情報管理に生かすという提案が従来から幾つかなされている。たとえば、紙に、ＲＦＩＤ（Ｒａｄｉｏ  Ｆｒｅｑｕｅｎｃｙ  Ｉｄｅｎｔｉｆｉｃａｔｉｏｎ）タグを付け、このＲＦＩＤタグに書き込まれているＩＤコードによって、大量の書類の束から特定の書類の検索を容易にする方法が提案されている（たとえば、特許文献１参照。）。
【０００３】
なお、「ＲＦＩＤタグ」は、自身の情報を無線で発信するタグ（荷札）である。
【０００４】
この提案では、ＲＦＩＤタグに書き込まれているＩＤコードによって、特定の紙を容易に検索することができるが、印刷された紙を使用して、印刷の元になったネットワーク上のコンテンツ情報にアクセスすることはできない。
【０００５】
また、従来、原稿複写を機密管理する方法が提案されている（たとえば、特許文献２参照。）。この提案では、原稿の複写に関して機密保持するので、原稿の紙に、機密レベルを示すセキュリティ情報が保持されているＲＦＩＤタグを付与する。
【０００６】
そして、原稿複写を行う人間にも、ＲＦＩＤタグを持たせる。セキュリティ情報の保持方法は、ＲＦＩＤタグに限定され、バーコードや指紋、音声等の使用は、開示されていない。
【０００７】
紙に付与するＲＦＩＤタグには、どのセキュリティレベルの人間に、原稿複写を許可するかを決める許可条件が、書き込まれている。また、人間が持つＲＦＩＤタグには、その人間のセキュリティレベルが書き込まれている。複写機で原稿を複写する場合、複写機に備え付けられている紙用のＲＦ（Ｒａｄｉｏ  Ｆｒｅｑｕｅｎｃｙ）受信器と、人間が持つＲＦＩＤタグ用の受信器とによって、２つのセキュリティ情報を同時に読み取り、これら２つのセキュリティ情報を互いに比較し、複写許可条件に合致すれば、複写を許可し、合致しなければ、複写できないように、複写機自身が制御する。
【０００８】
しかし、ここで開示されているのは、紙の記録媒体としての機能を排除し、紙に情報の一時的な表示機能としての役割だけを持たせる発想ではなく、このままでは、印刷された紙から、その印刷物の元になったネットワーク上のコンテンツ情報を誤りなくアクセスすることはできない。特に、ここで用いられるＲＦＩＤタグは、セキュリティ情報を保持すれば足りるので、原稿の紙それぞれの固体を区別して認識する必要はない。同じセキュリティレベルの原稿であれば、互いに異なる原稿に同じＩＤ情報を付与しても、機密保持の観点からは、何ら問題ない。
【０００９】
このように考えると、ここで使用するＲＦＩＤタグは、個体それぞれを全て区別して管理するための機能を持つ必要性がない。また、複写機の傍に設置されているＣＰＵ、または複写機の内部に装備されているＣＰＵによって、セキュリティ情報を管理することができ（スタンドアロン）、インターネットを介したデータを授受しなくても、セキュリティ情報を管理することができる。また、実際のＩＤ情報の処理を行う際には、紙に付与されたＲＦＩＤタグと、複写機の操作者が持つＲＦＩＤタグとの両方から、実質的に同時にセキュリティ情報を読み取ることが必要になる。
【００１０】
また、従来、有価証券、各種の証書、入場券、証明書等、それ自体に価値を持たせた印刷物の偽造を排除し、遠隔地からリモート印刷を行う場合の印刷物発行管理システム、発行管理方法およびそれに用いるプリンタに関する提案がされている（たとえば、特許文献３参照。）。
【００１１】
この従来システムでは、記載内容（コンテンツ）を、ネットワーク等によって、遠隔地から電子的に転送し、この転送されたコンテンツを、予め用意した印刷媒体（用紙）に印刷することによって、その印刷物が価値を持つ。たとえば、入場券等の用紙を、各地のプレイガイド等の入場券販売所に予め配布し、特定のイベントの内容と、チケットのグレード（たとえばＡ席やＢ席等）、座席番号、チケットの値段等の情報とを、ネットワークを介して転送し、用紙に印刷する。その際に、次の手順（１）〜（４）を実行する。
【００１２】
手順（１）：用紙が専用の形式や紙質が定められたものであって、印刷に用いるために用意されたものであることを示す識別情報を、用紙に予め付与する。
【００１３】
手順（２）：用紙に付与されているバーコード等による識別情報を、印刷前に読み取ることによって、プリンタにセットされている用紙が偽物でないことを確認する。
【００１４】
手順（３）：印刷に用いる用紙であると判断した後に、ネットワークを介して、コンテンツ情報をプリンタにダウンロードする。
【００１５】
手順（４）：ダウンロードしたコンテンツ情報をプリンタで印刷し、この印刷が紙詰まり等を発生せず、正常に終了したことを、識別情報として用紙に記録し、これを読み取り、正常な印刷が行われたかどうかを判断する。
【００１６】
上記手順（１）〜（４）を実行することによって、正しくない用紙に、コンテンツ情報が印刷されることを防止し、また、印刷過程でのトラブルによって印刷が正常に行われなかった場合には、それを識別情報として紙に記録し、正常に印刷されなかった印刷物が出回ることを防止する。また、上記識別情報として、文字情報、バーコード、磁気情報、または透かし等が使用される。この場合、従来例には、ＲＦＩＤタグに関する記載は存在していない。
【００１７】
この従来方法においても、用紙に付与される識別情報は、必ずしも個々の用紙を区別する情報である必要はない。つまり、用紙が正式のものであるかどうかを判断できれば、この仕組みが機能するので、個々の用紙を区別する必要はない。また、紙に付与されているＲＦＩＤタグそのものが、ダウンロードするコンテンツ情報を指定するのではない。ＩＤ情報は、セキュリティをチェックするために使われているのであって、コンテンツ情報そのものにアクセスするために使われているのではない。上記従来の提案には、ＩＤ情報を使って、コンテンツ情報に直接アクセスする点が含まれてなく、実際には、端末からの指示によって、コンテンツ情報が呼び出される。
【００１８】
本発明は、印刷されＩＤコードが記憶されている情報表示媒体が、手元に既に存在し、この状況で、印刷物の複製を作成し、印刷内容の書き換えや変更を、電子的に行うためにコンテンツをダウンロードする。
【特許文献１】特開２００２−１２０４７５号公報
【特許文献２】特開２００１−１６０１１７号公報
【特許文献３】特開平１１−７８１７６号公報
【発明の開示】
【発明が解決しようとする課題】
【００１９】
紙のような形態の電子ディスプレイを開発しようとする多くの努力にも関わらず、紙に画像を印刷して得られる印刷物の使い易さは、非常に優れ、紙がその全ての役割を終えて完全に姿を消す見通しは立っていない。
【００２０】
電子ペーパーのようなディスプレイは、今後実際に市場に出て、特定の分野で使用され始め、次第に、その使用範囲を広げていくことであろうが、電子ペーパーが、全ての紙に取って代わるには、まだ相当の改良が必要である。リライタブル・ペーパー等でも、その画質や耐久性の点で、完全に紙に取って代わる程の品質は達成されていない。
【００２１】
記録媒体としての紙の不便さを除去し、情報表示媒体としての紙の飛び抜けて優れた見易さと使い易さとを実現させることは、最近の電子ペーパーのようなディスプレイやリライタブル・ペーパーをもってしても容易ではないのが現状である。
【００２２】
また、情報の電子化が行なわれると、印刷情報のコンテンツの加工のしやすさや記録密度の向上、または複製の完全さ等の大きな利点がある筈である。
【００２３】
しかし、従来、情報表示媒体の複製を作ろうとする場合には、複写装置等を用いて一枚一枚コピーするか、またはそれぞれの記録媒体のコンテンツ情報を、その都度、ダウンロードし、プリントアウトしている。特に、個々の情報表示媒体に印刷された多種類のコンテンツが、複数のファイルからなる場合、その手順が煩雑であり、何処にあるかわからない多くのコンテンツからなる印刷された多数の情報表示媒体が、ある場合には、それらを全てダウンロードしたり再印刷したりすることは、煩雑であるという問題がある。
【００２４】
本発明は、非効率な情報保存記録機能から、紙を開放し、また、紙の優れた表示品質を温存し、さらに、紙に印刷された情報を、システムに簡単に取り込み、容易に加工することができる電子情報システムを提供することを目的とするものである。
【００２５】
特に、本発明は、多数枚の情報表示媒体に印刷された情報のコンテンツを、その情報表示媒体に記憶されたＩＤコードによって、簡単にダウンロードする電子情報システムを提供することを目的とするものである。
【課題を解決するための手段】
【００２６】
本発明は、ネットワークを介して、電子情報を通信することができる電子情報システムにおいて、ＩＤコードが記憶されている情報表示媒体に印刷されているコンテンツ情報と、上記ＩＤコードと上記コンテンツ情報との対応関係とを記憶する記憶手段と、上記情報表示媒体から、上記ＩＤコードを読み取る読取手段を具備する印刷手段と、上記読取手段が上記情報表示媒体から読み取った上記ＩＤコードと、上記情報表示媒体に印刷されているコンテンツ情報との対応関係に基づいて、上記記憶手段からコンテンツ情報を検索するコンテンツ情報検索手段とを有し、複数の上記情報表示媒体から、複数の上記ＩＤコードを順次読み取り、または実質的に一括読み取り、この読み取ったＩＤコードに基づいて、上記記憶手段からコンテンツ情報を検索し、利用することを特徴とする。
【発明の効果】
【００２７】
本発明によれば、非効率な情報保存記録機能から、紙を開放し、また、紙の優れた表示品質を温存し、さらに、紙に印刷された情報を、システムに簡単に取り込み、容易に加工することができるという効果を奏する。
【発明を実施するための最良の形態】
【００２８】
発明を実施するための最良の形態は、次の実施例である。
【実施例１】
【００２９】
図１は、本発明の実施例１である電子情報システム１００を示すブロック図である。
【００３０】
電子情報システム１００は、印刷装置１０と、印刷装置２０と、ＲＦＩＤ読取装置３０と、クライアント端末４０と、データ記憶管理装置５０とを有する。
【００３１】
ネットワーク６０は、インターネットを含むネットワークであり、ＲＦＩＤタグ付き情報表示媒体７０は、ＲＦＩＤ（Ｒａｄｉｏ  Ｆｒｅｑｕｅｎｃｙ  Ｉｄｅｎｔｉｆｉｃａｔｉｏｎ）タグ７１が付与されている情報表示媒体であり、紙を含む媒体である。
【００３２】
印刷装置１０（印刷装置）は、制御部１１と、メモリ１２と、印刷部１３と、操作部１４と、ネットワークインタフェース部１５と、ＲＦＩＤ読取部１６（読取手段）とを有する。
【００３３】
制御部１１は、印刷装置１０の各部の制御を司る。メモリ１２は、印刷情報や読取情報等を記憶する。印刷部１３は、ＲＦＩＤタグ付き情報表示媒体７０を含む各種媒体に画像を形成するために印刷動作を行う。操作部１４は、印刷部数の設定や印刷動作開始の指示等を行うためのものである。
【００３４】
ネットワークインタフェース部１５は、ネットワーク６０との間のインタフェースを司る。ＲＦＩＤ読取部１６は、ＲＦＩＤタグ付き情報表示媒体７０のＲＦＩＤタグ７１に記憶されているＩＤコードを、非接触で読み取る機器である。なお、上記ＩＤコードは、たとえば、９６ビットのＩＤコードであり、上記非接触での読み取りは、たとえば、電磁波によって読み取る。
【００３５】
印刷装置１０は、印刷済みの情報表示媒体７０を載置し、ＲＦＩＤタグ７１から、ＩＤコードを読み取る原稿台を設けることが望ましい。この原稿台に、情報表示媒体７０を載せ、情報表示媒体７０に付与されているＲＦＩＤ回路が、ＲＦＩＤ読取部１６に接近すると、ＲＦＩＤを容易に読み取ることができる。この原稿台の中のＲＦＩＤ読取部１６の読み取り可能な領域は、上記原稿台の特定の個所に限定するようにしてもよく、また、上記原稿台のどこにＲＦＩＤ回路があっても、読み取ることができるようにしてもよい。
【００３６】
印刷装置２０（印刷装置）は、制御部２１と、メモリ２２と、印刷部２３と、操作部２４と、ネットワークインタフェース部２５と、ＲＦＩＤ読取部（読取手段）２６と、ＲＦＩＤ書込部２７とを有する。
【００３７】
制御部２１は、印刷装置２０の各部の制御を司る。メモリ２２は、印刷情報や読取情報等を記憶する。印刷部２３は、ＲＦＩＤタグ付き情報表示媒体７０を含む各種媒体に画像を形成するために印刷動作を行う。操作部２４は、印刷部数の設定や印刷動作開始の指示等を行うためのものである。ネットワークインタフェース部２５は、ネットワーク６０との間のインタフェースを司る。ＲＦＩＤ読取部２６は、ＲＦＩＤタグ付き情報表示媒体７０のＲＦＩＤタグ７１に記憶されているＩＤコード（たとえば９６ビットのＩＤコード）を、非接触で読み取る。ＲＦＩＤ書込部２７は、ＲＦＩＤタグ付き情報表示媒体７０のＲＦＩＤタグ７１に、たとえば９６ビットのＩＤコードを非接触で（たとえば電磁波によって）書き込む。この場合も、情報表示媒体７０を載せる原稿台を設け、ＲＦＩＤ回路の近傍に読取部書込部が位置するようにすることが望ましい。
【００３８】
ＲＦＩＤ読取装置（読取手段）３０は、制御部３１と、メモリ３２と、操作部３３と、ネットワークインタフェース部３４と、ＲＦＩＤ読取部３５とを有する。
【００３９】
制御部３１は、ＲＦＩＤ読取装置３０の各部の制御を司る。メモリ３２は、読取情報を記憶する。操作部３３は、読取動作開始の指示等を行うためのものである。ネットワークインタフェース部３４は、ネットワーク６０との間のインタフェースを司る。ＲＦＩＤ読取部３５は、ＲＦＩＤタグ付き情報表示媒体７０のＲＦＩＤタグ７１に記憶されているＩＤコード（たとえば９６ビットのＩＤコード）を非接触で（たとえば電磁波によって）読み取る読取ヘッドを具備している。クライアント端末の近くにＲＦＩＤ読取部つきの印刷装置がなくても、ＲＦＩＤ読取装置が、クライアント端末に接続されていれば、情報表示媒体７０のＩＤコードを読み、コンテンツをダウンロードし、クライアント端末の電子ディスプレイに表示することができる。
【００４０】
なお、図１では、ＲＦＩＤ読取装置３０を大きく図示しているが、ＲＦＩＤ読取装置３０を、充分に小型にすることは容易であり、小型のセンサだけを、ＲＦＩＤ読取装置３０の読取ヘッドに組み込み、残りのデータ処理機能は、クライアント端末４０の筐体の中に配設されているボードに搭載するようにしてもよい。
【００４１】
クライアント端末（情報検索装置）４０は、たとえばＰＣ（パーソナルコンピュータ）として構成され、クライアント端末４０の各部の制御を司る制御部、各種情報を記憶するメモリ（ＲＯＭ、ＲＡＭ、ハードディスクを含む）、各種操作や指示を行うための操作部（キーボード、マウスを含む）、各種表示を行う表示部（電子ディスプレイ）、ネットワーク６０との間のインタフェースを司るネットワークインタフェース部（以上図示略）等を有する。クライアント端末４０には、ＲＦＩＤ読取装置３０が接続されている。
【００４２】
データ記憶管理装置（情報管理装置）５０は、データ管理部５１と、データ記憶部（記憶手段）５２と、ネットワークインタフェース部５３とを有する。
【００４３】
データ管理部５１は、データ記憶部５２に対する記憶と、外部への転送とを管理し、ＲＦＩＤタグ付き情報表示媒体７０のＲＦＩＤタグ７１に記憶されているＩＤコードを管理する。データ記憶部５２は、各ＲＦＩＤタグ付き情報表示媒体７０に印刷されている各コンテンツ情報とＩＤコードとが、重複なく１：１で対応し、この対応関係を記憶している。ネットワークインタフェース部５３は、ネットワーク６０との間のインタフェースを司る。データ記憶管理装置５０は、ＲＦＩＤタグ付き情報表示媒体７０に印刷する情報等を管理するサーバである。
【００４４】
なお、データ記憶管理装置５０は、ネットワーク６０に複数台接続するようにしてもよい。また、データ記憶管理装置５０のデータ記憶部５２として、一般的には、ハードディスクを使用するが、ＣＤＲドライブ、ＣＤＲＷドライブ、ＤＶＤ、その他の電子情報を記憶する記憶装置も使用するようにしてもよい。
【００４５】
情報表示媒体７０は、ＩＤコードを記憶し、非接触でＲＦＩＤ読取装置３０との間で無線通信するＲＦＩＤタグ７１を保持している。この場合、たとえば、情報表示媒体７０の表面にアンテナ付きの小さなＲＦＩＤタグ７１を貼り付けるようにしてもよく、または、情報表示媒体７０を製造するときに、記録媒体内に情報表示媒体７０を埋め込むようにしてもよい。
【００４６】
ＲＦＩＤタグ７１は、その中に、ＲＦ通信回路、ロジック回路、メモリ等の電気回路を具備し、いわゆるトランスポンダー（自動送受信器）を構成する。実施例１に用いるＲＦＩＤ回路は、自らは電源を持たず、読取装置（質問器とも呼ぶ）から読み出し電波を受け、このエネルギーを用い、記憶されている情報を読取装置に送り返す。このときに、ＲＦＩＤタグ７１と読取装置との間の距離は、重要であり、通常は、余り離れた距離から読み出しを行なうことはできない。
【００４７】
したがって、情報表示媒体７０と、ＲＦＩＤタグ７１とを、ＲＦＩＤ読取部３５に接近させ、読取装置３０側から読み出し電波を送ることによって、ＲＦＩＤタグ７１は、ＩＤコードを電波で送り返す、トランスポンダーとしての機能を持たせる。この技術は、ＲＦＩＤの分野ではよく知られたものであり、その詳細説明は、たとえばｋｌａｕｓ  Ｆｉｎｋｅｎｚｅｌｌｅｒ著「ＲＦＩＤハンドブック」（日刊工業新聞社、２００１年）等に記載されている。
【００４８】
データ記憶管理装置５０のデータ記憶部５２に登録されるコンテンツ情報は、ＲＦＩＤタグ付き情報表示媒体（印刷原稿）７０に対する上記コンテンツ情報の印刷時に、ＲＦＩＤタグ付き情報表示媒体（印刷原稿）７０のＲＦＩＤタグ７１から読み取ったＩＤコードと、１：１に対応付けられ、その対応関係も、データ記憶管理装置５０のデータ記憶部５２に、保存されている。
【００４９】
なお、ＲＦＩＤタグ付き情報表示媒体７０のＲＦＩＤタグ７１のＩＤコードは、印刷時にＲＦＩＤタグ７１に書き込まれるか、または、ＲＦＩＤの製造時に予め書き込む。また、データ記憶管理装置５０に記憶されている１つの電子ファイルに対応するコンテンツ情報が、複数のＲＦＩＤタグ付き情報表示媒体７０にまたがって印刷される場合は、その複数のＲＦＩＤタグ付き情報表示媒体７０全体に、１つのＩＤコードを対応付ける。また、ＩＤコードは、最大でも、２５６ビットとし、それ以下（望ましくは１２８ビット）のデータ長の重複のないＩＤコードを用いる。
【００５０】
たとえば、印刷装置１０とＲＦＩＤタグ付き情報表示媒体７０とは、印刷装置１０のＲＦＩＤ読取部１６と、ＲＦＩＤタグ付き情報表示媒体７０のＲＦＩＤタグ７１との間で、無線でデータ通信することによって、ＲＦＩＤ読取部１６が、ＲＦＩＤタグ７１に記憶されたＩＤコードを非接触で読み取る。
【００５１】
実施例１では、ＲＦＩＤ読取部１６の無線周波数は、たとえば１３．５６ＭＨｚであるが、アンテナを小型化したり、通信距離を伸ばしたり、通信速度を高めるために、９１５ＭＨｚ帯や２．４５ＧＨｚ等のマイクロ波帯を用いるようにしてもよい。特に、これらの周波数に限定されるものではない。
【００５２】
ＲＦＩＤタグ付き情報表示媒体７０のＲＦＩＤタグ７１に記憶されているＩＤコードのデータ形式は、独自に決めたデータ形式であってもよい。標準化が進めば、標準化された範囲のコンテンツデータ収集が可能である。インターネット上に広く分布しているさまざまなデータ管理記憶装置に保存されているコンテンツファイルに正しくアクセスするには、ＤＮＳサーバのようなネームサーバ（これ自体もデータ記憶管理装置の一種）を用意し、このＤＮＳサーバに、情報表示媒体７０のＩＤコードに対応するコンテンツのファイル名と、それが保存されているウェブサーバ等のデータ記憶管理装置のＩＰアドレスとを対応付けて、記録し、この対応を読み出し、コンテンツファイルにアクセスすることができる。コンテンツファイルが見つかれば、そのコンテンツファイルをダウンロードし、印刷し、内容の修正等を行なう。
【００５３】
また、全てを独自に構築するのではなく、たとえば、ＭＩＴ（Ｍａｓｓａｃｈｕｓｅｔｔｓ  Ｉｎｓｔｉｔｕｔｅ  ｏｆ  Ｔｅｃｈｎｏｌｏｇｙ、米国  マサチューセッツ工科大学）のオートＩＤセンター（ｈｔｔｐ：／／ｗｗｗ．ａｕｔｏｉｄｃｅｎｔｅｒ．ｏｒｇ／ｍａｉｎ．ａｓｐ）が提唱している物流管理システムを活用するようにしてもよい。この場合、オートＩＤセンターが標準化しているＩＤコードであるＥＰＣ（Ｅｌｅｃｔｒｏｎｉｃ  Ｐｒｏｄｕｃｔ  Ｃｏｄｅ）の形式を、そのまま利用するようにしてもよい。印刷装置のデータ制御システムには、上記オートＩＤセンターが開発したＳＡＶＡＮＴという一種のリゾルバーをインストールする。
【００５４】
ＤＮＳサーバに対応するＯＮＳ（オブジェクトネームサービス）サーバを用意し、その中に、コンテンツデータのファイル名と、それが保存されているインターネット上のウェブサーバ等のデータ管理記憶装置（オートＩＤセンターのＰＭＬサーバに対応）のＩＰアドレスと、上記ＥＰＣとを対応づけて記録する。
【００５５】
印刷装置のＲＦＩＤ読取部が、情報表示媒体７０から、予め記録してあるＥＰＣを読む。この読んだＥＰＣを用いて、印刷装置内にインストールされているＳＡＶＡＮＴが、ＯＮＳサーバにＥＰＣに対応する文書のコンテンツのファイル名と、それが保存されているデータ記憶管理装置のＩＰアドレスとを問い合わせる。ＯＮＳサーバが、ＩＰアドレスとファイル名とをＳＡＶＡＮＴに回答すると、ＳＡＶＡＮＴが、コンテンツを、印刷装置にダウンロードし、印刷する。
【００５６】
図２は、実施例１におけるデータの流れを模式的に示す図である。
【００５７】
ＲＦＩＤタグ付き情報表示媒体７０に印刷するコンテンツ情報が同一であるか否かに関わらず、各ＲＦＩＤタグ付き情報表示媒体７０に、ＩＤコードを重複なく付与することによって、全てのＲＦＩＤタグ付き情報表示媒体７０のそれぞれを、１枚残らず誤りなく区別する。また、ＲＦＩＤタグ付き情報表示媒体７０のＩＤコードは、コンテンツ情報の印刷時に、必要に応じて書き換えるようにしてもよい。
【００５８】
また、印刷装置が、ＲＦＩＤタグ付き情報表示媒体７０に印刷されている情報の内容を書き換えて印刷する場合、書き換えた新しい情報と、この新しい情報を印刷する別のＲＦＩＤタグ付き情報表示媒体７０のＩＤコードとを対応付ける。
【００５９】
また、ＲＦＩＤタグ付き情報表示媒体７０のＩＤコードは、ＲＦＩＤタグ付き情報表示媒体７０に印刷されている情報を追記または書き換える等の際に、必要に応じて書き換え可能である。また、ＲＦＩＤ読取部で、ＲＦＩＤタグ付き情報表示媒体７０から読み取ったＩＤコードを、ＲＦＩＤタグ付き情報表示媒体７０に印刷するコンテンツ情報のアドレスと、印刷装置とを、対応付けてデータ記憶管理装置５０に転送する。
【００６０】
電子情報システム１００では、ネットワーク６０上のデータ記憶管理装置５０に保存されているコンテンツ情報が印刷されているＲＦＩＤタグ付き情報表示媒体７０のＲＦＩＤタグ７１に記憶されたＩＤコードと、上記コンテンツ情報とを、重複なく１：１に対応させた対応関係を、データ記憶管理装置５０に登録し、ＲＦＩＤタグ付き情報表示媒体７０のコンテンツ情報を修正する場合、ＲＦＩＤタグ付き情報表示媒体７０のＲＦＩＤタグ７１からＩＤコードを読み取り、ＩＤコードに対応するコンテンツ情報を、データ記憶管理装置５０から検索し、この検索したコンテンツ情報を、新たなＲＦＩＤタグ付き情報表示媒体７０に印刷する。
【００６１】
また、電子情報システム１００では、ＲＦＩＤタグ付き情報表示媒体７０に印刷されているコンテンツ情報と、コンテンツ情報の印刷履歴、印刷物の存在状態等を管理することができ、また、ＲＦＩＤタグ付き情報表示媒体７０に印刷されているコンテンツ情報を高度なセキュリティを保持しながら、ネットワーク６０を介して、共有することができる。
【００６２】
情報表示媒体７０に印刷されている情報のコンテンツや印刷形式等のデータは、情報ネットワーク６０上のデータ記憶管理装置５０のデータ記憶部５２に登録され、保存されている。
【００６３】
ＲＦＩＤタグ付き情報表示媒体（印刷原稿）７０に対応するコンテンツ情報を印刷するときに、ＲＦＩＤタグ付き情報表示媒体（印刷原稿）７０のＲＦＩＤタグ７１から読み取ったＩＤコードと、データ記憶管理装置５０のデータ記憶部５２に登録されているコンテンツ情報とが、１：１に対応付けられ、この対応関係も、データ記憶管理装置５０のデータ記憶部５２に保存されている。
【００６４】
コンテンツとＩＤコードとの対応関係は、コンテンツが保存されているデータ記憶管理装置５０に保存してもよいが、ネットワーク６０上のＩＤコードと、コンテンツとそのコンテンツとの対応関係とを保存するコンテンツ保存用データ記憶管理装置を、データ記憶管理装置５０とは、別にし、管理するようにしてもよい。インターネットを介して、ＩＤコードからコンテンツを検索する場合、このやり方が望ましい。
【００６５】
次に、電子情報システム１００におけるＲＦＩＤタグ付き情報表示媒体７０を用いて、多数枚原稿を複写する動作について、詳細に説明する。
【００６６】
図３は、電子情報システム１００において、ＲＦＩＤタグ付き情報表示媒体７０を用いて、多数枚の原稿を複写する動作を示すフローチャートである。
【００６７】
複数の情報表示媒体７０の１枚１枚に、全てＲＦＩＤタグ７１を貼り付け、ＩＤコードを記憶させてある。情報表示媒体７０は、通常、紙等のシート状の形状を持ち、複数の情報表示媒体７０を、重ねて束にしてまとめて取り扱われることが多い。重ねて束になっている情報表示媒体７０は、従来例における複写の場合、１枚１枚、複写機の原稿台に置いて複写するか、自動ドキュメント供給装置によって、自動的に１枚１枚原稿台に置かれ、印刷情報を光学的に読み取り、複写する。したがって、従来例では、原稿の光学読取装置や自動搬送装置等の装置が必要である。
【００６８】
実施例１である電子情報システム１００では、情報表示媒体７０の束を、印刷装置１０の原稿台の上に置き、印刷情報の複写要求があれば（Ｓ１）、その原稿台に設置されたＲＦＩＤ読取部１６が、原稿台に置いた複数の情報表示媒体７０のＩＤコードを一括して読み取る（Ｓ２）。複数のＲＦＩＤタグ７１のようなトランスポンダーから、ＩＤコードを読み取る場合、単一のトランスポンダーを読む場合と違い、多重アクセスが必要である。
【００６９】
多重アクセスにもかかわらず、個々のトランスポンダーからの信号をお互いに分離し、読取装置（読取部１６）が正常に通信するためには、信号の衝突を回避することが必要である。このような信号衝突防止の技術は、無線技術の分野では長年にわたって開発されている。衝突防止の方式は、空間分割多重方式（ＳＤＭＡ）、時間分割多重方式（ＴＤＭＡ）、周波数分割多重方式（ＦＤＭＡ）、符号化分割多重方式（ＣＤＭＡ）の４つに分類され、それぞれに特徴があるが、これらの方式を用いれば、衝突防止を実現することができ、実用的に多数のＲＦＩＤタグ７１から複数のＩＤコードを順次読み取り、または、実質的に一括読み取りすることができる（Ｓ２）。
【００７０】
これらの技術を用いて、多数の情報表示媒体７０のＩＤコードを読んだら、必要に応じて、そのＩＤ番号に対応する情報表示媒体７０を複写することが許可されているかどうかをチェックすることもできる（Ｓ３）。不許可の指定をしておけば、印刷装置１０は複写を行なわない（Ｓ４）。
【００７１】
ＩＤコードを用いて、コンテンツを検索し、情報ネットワーク６０上のどれかのデータ記憶管理装置５０に、それが登録されていれば（Ｓ５）、そのコンテンツを、それぞれダウンロードする（Ｓ７）。そして、そのダウンロードしたコンテンツを、印刷装置１０で、一括して別の新しい情報表示媒体７０に印刷する（Ｓ８）。これらの新しい情報表示媒体７０には、新しいＩＤコードが記憶されている。
【００７２】
そこで、印刷に引き続いて、その情報表示媒体７０のＩＤコードを読み、この読んだＩＤコードとコンテンツとの対応関係を記録し（Ｓ９）、コンテンツの記録場所や、コンテンツとＩＤコードとの対応関係を、データ記憶管理装置５０に記録する。
【００７３】
このようにして、複数の情報表示媒体７０のＩＤコードを、一括して読み取り、まとめて印刷し、複写を実現することができる。
【００７４】
実施例１によれば、従来の複写方式と比べると、原稿の光学読み取りが不要になるので、光学読取部の装置が不要になる。これによって、光学系のメンテナンスも不要になる。また、これに付随して、原稿の自動供給装置等、情報表示媒体７０の搬送系も不要であり、印刷そのものの他は、稼動部分を必要としないので、印刷装置全体が単純化され、製造コストを引き下げることができ、また、全体のメンテナンスも簡略化できる。さらに、光学読み取りを繰り返し行なうことによる複写画像の劣化も全く起こらない。複写する場合、電子的にコンテンツレベルで複写した後に、新たに印刷されるので、完璧な複製を作成することができる。
【００７５】
次に、複数の情報表示媒体７０における原稿を修正する動作について説明する。
【００７６】
図４は、電子情報システム１００において、複数の情報表示媒体７０における原稿を修正する動作を示すフローチャートである。
【００７７】
ＲＦＩＤタグ付き情報表示媒体７０に、コンテンツ情報が印刷されて、この印刷原稿に印刷されているコンテンツ情報を修正する。
【００７８】
ＲＦＩＤタグ付き情報表示媒体（印刷原稿）７０に印刷されているコンテンツ情報は、クライアント端末４０、またはその他のクライアント端末（場合によっては複数のクライアント端末）において作成され、データ記憶管理装置５０のデータ記憶部５２に登録され、保存されている。また、場合によっては、複数のデータ記憶管理装置５０に分散し、保存されている。
【００７９】
先ず、複数のＲＦＩＤタグ付き情報表示媒体（印刷原稿）７０に印刷されているコンテンツ情報（印刷情報）を書き換えたい場合、印刷情報の書き換え要求し（Ｓ１１）、クライアント端末４０に接続したＲＦＩＤ読取装置３０のＲＦＩＤ読取部３５が、複数のＲＦＩＤタグ付き情報表示媒体（印刷原稿）７０のＲＦＩＤタグ７１に記憶されているＩＤコードを、非接触で、実質的に一括読み取りする（Ｓ１２）。または、順次読み取りしてもよい。このときに、情報表示媒体７０は一まとめに重ねて一括して、読取装置に近づけ、ＩＤコードを読み取る。１枚１枚別々にＲＦＩＤ読取装置３０にかけてＩＤコードを読み取る必要はない。
【００８０】
読取装置３０は、ＩＤ読み取り可能な領域に存在するＲＦＩＤタグ７１を認識し、信号読み取りの衝突防止を行ないながら、ＩＤコードを誤りなく読み取る。時分割多重方式では、一度には、ただ１つのＲＦＩＤタグ７１と交信を行ない、１つのＲＦＩＤタグ７１からＩＤコード読み取りを終了したら、次のＲＦＩＤタグ７１との交信を開始するようにし、順次ＩＤコードを読むが、これを高速で行なえば、実用上はほぼ同時にＩＤコードを読んだのと同じである。
【００８１】
次に、電子情報システム１００は、ＲＦＩＤ読取装置３０が読み取ったＩＤコード（ＩＤ番号）がダウンロード許可されているものであるか否かを判定する（Ｓ１３）。なお、実施例１では、クライアント端末４０が上記電子情報システム１００を備えているが、これに限定される必要はない。
【００８２】
電子情報システム１００は、ＩＤコードがダウンロード許可されていないと判断すると（Ｓ１３）、クライアント端末４０の電子ディスプレイに、データ記憶管理装置５０からコンテンツ情報のダウンロードが不許可である旨を表示する（Ｓ１４）。
【００８３】
ＩＤコードが許可されていれば（Ｓ１３）、電子情報システム１００１００は、ＲＦＩＤ読取装置３０が読み取ったＩＤコードを用いて、ＩＤコードとコンテンツ情報との対応関係を登録保存してあるデータ記憶管理装置５０にアクセスし、コンテンツが保存されているデータ記憶管理装置５０のＩＰアドレスを取得し、ネットワーク６０上に接続されている複数のデータ記憶管理装置５０の何れかに登録保存されているＲＦＩＤタグ付き情報表示媒体（印刷原稿）７０のコンテンツ情報を検索する。
【００８４】
電子情報システム１００は、コンテンツ情報が、複数のデータ記憶管理装置５０の何れかに登録されていれば（Ｓ１５）、そのコンテンツ情報を、クライアント端末４０にダウンロードし（Ｓ１７）、電子ディスプレイに表示する。クライアント端末４０の電子ディスプレイに表示されたコンテンツ情報は、操作者が、必要に応じて電子ディスプレイ上で修正する（Ｓ１８）。
【００８５】
他方、電子情報システム１００は、コンテンツ情報が、何れのデータ記憶管理装置５０にも登録されていないと判断すると（Ｓ１５）、未登録である旨を、電子ディスプレイに表示し、また、ＲＦＩＤタグ付き情報表示媒体（印刷原稿）７０を、ネットワーク６０に別に接続されたＲＦＩＤリーダ内蔵画像読取装置３０（図示略）にセットし、読み取ることによって、新たにコンテンツ情報を登録することができる（Ｓ１６）旨を、電子ディスプレイに表示する。
【００８６】
ＩＤコードが情報表示媒体７０に記憶されていながら、コンテンツが登録されていない場合、電子ディスプレイに対する上記表示に基づいて、操作者が、ＲＦＩＤリーダ内蔵画像読取装置３０にセットしたＲＦＩＤタグ付き情報表示媒体（印刷原稿）７０から、新たにコンテンツ（画像）とＩＤコードとを読み取る。
【００８７】
そして、読み取ったＲＦＩＤタグ付き情報表示媒体（印刷原稿）７０のＩＤコードと、コンテンツ情報との対応関係を、データ記憶管理装置５０に登録し保存する。さらに、電子情報システム１００は、上記読み取った新たなコンテンツ（画像）のうちで、文字情報を、ＯＣＲ（Ｏｐｔｉｃａｌ  Ｃｈａｒａｃｔｅｒ  Ｒｅａｄｅｒ）ソフトによって、文字データに変換する。クライアント端末４０の電子ディスプレイに表示された新たなコンテンツ情報は、操作者が必要に応じて電子ディスプレイ上で修正する（Ｓ１８）。
【００８８】
電子情報システム１００は、コンテンツ情報の修正が終了したら、修正後のコンテンツ情報をデータ記憶管理装置５０に、新たに登録し、保存する（Ｓ１９）。さらに、電子情報システム１００は、修正前のコンテンツ情報と修正後のコンテンツ情報との対応関係を、データ記憶管理装置５０に追加記録する（Ｓ２０）。
【００８９】
次に、電子情報システム１００は、ネットワーク６０に接続されている印刷装置１０または２０に、上記修正登録したコンテンツ情報を送信することによって、印刷装置１０または２０によって、ＲＦＩＤタグ７１付きの新たな紙に、コンテンツ情報を印刷する（Ｓ２１）。
【００９０】
電子情報システム１００は、印刷装置１０または２０によって、コンテンツ情報を印刷する際に、ＲＦＩＤ読取装置３０が、ＲＦＩＤタグ７１付きの新たな紙のＲＦＩＤタグ７１からＩＤコードを読み取り、ＩＤコードと上記修正登録したコンテンツ情報との対応関係を、上記と同様に、データ記憶管理装置５０に記録する（Ｓ２２）。このようにして、元のＲＦＩＤタグ付き情報表示媒体（印刷原稿）７０に、電子的な修正を施した修正印刷原稿を作ることができる。
【００９１】
なお、実施例１では、ＲＦＩＤタグ付き情報表示媒体７０のＲＦＩＤタグ７１に記憶するＩＤコードとして、たとえば９６ビットのＩＤコードを用いているが、これに限定されるものではなく、たとえば１２８ビットのＩＤコードを用い、ＭＩＴのオートＩＤセンターが標準化しているものとは別のＩＤ管理システムを利用するようにしてもよい。
【００９２】
次に、実施例１を、さらに詳細に説明する。
【００９３】
近年、文書データの作成に関して、ますます電子化される傾向にあり、コンピュータを用いたデータ処理によって、コンテンツの電子データを作成することが一般的である。
【００９４】
電子データとしては、ワードプロセッサソフト、表計算ソフト、その他の文書作成加工ソフト、イメージスキャナ等の画像読取装置３０で読み取った画像データ、デジタルカメラやデジタルビデオカメラ等の撮像装置によって撮影した画像データ等の他、必要に応じて、音声データ等も含まれる。
【００９５】
従来は、上記電子データをプリンタ等の印刷装置を用いて印刷することによって、印刷物とすることが一般的であった。この場合、印刷装置は、ネットワークに接続され、同じくネットワークに接続されたパソコン等のクライアント端末からの指示によって、指定された文書ファイルのコンテンツ情報を、ネットワークに接続した記憶装置から、ダウンロードし、印刷装置が印刷することが一般的である。
【００９６】
印刷して可視化する文書のコンテンツ情報の電子データは、ネットワークに接続した記憶装置に保存されることが多く、ネットワークに接続されていない独立したパソコン等の情報処理装置は、減少する傾向にある。
【００９７】
実施例１では、紙が有する情報保存記録機能を、紙から完全に切り離し、コンテンツ情報は、原則的に全て電子データとし、ネットワーク６０上のサーバ（データ記憶管理装置５０）が管理する記憶装置（データ記憶部５２）に保存する。この記憶装置としては、コンピュータシステムやネットワークシステムにおいて一般的に使用されるものを利用することができる。最も一般的に利用できる記憶装置は、ハードディスクである。また、コンパクトディスク、ＤＶＤ、光磁気ディスク等も、上記記憶装置として利用できる。
【００９８】
特に、インターネットが高度に発達してきた現在では、社会環境の多くの場所で、インターネットにアクセスすることが可能である。この傾向は、今後ますます加速し、ユビキタスネットワークという言葉で表されるように、社会のあらゆる場所で、何処でも、ネットワークにアクセスすることが可能になる。
【００９９】
このようなインフラストラクチャを利用すれば、紙をさらに使いやすくすることができる。すなわち、人間が書籍、新聞、報告書、写真、広告、その他、一般に紙と呼ばれる記録媒体に記載された文字情報や画像情報等の紙情報を、利用する環境では、ほとんどいつもインターネットへのアクセスが可能になる。そこで、紙に印刷する情報を、インターネットに接続されたパソコン、サーバ、大型のメインフレーム等が管理する記憶装置に、保存しておけば、それを世界中の何処からも、インターネットを介して、読み出すことができる。
【０１００】
過去において、インターネットとの接続は、有線のみであったが、現在は、携帯電話機によるアクセスや無線ＬＡＮやＢｌｕｅｔｏｏｔｈ等による無線通信も使用できる。この技術を利用すれば、インターネットに通信線（配線）で接続することなく、無線通信で繋がれた端末を使用して、インターネットにアクセスすることができる。つまり、通信線の接続なしに、何処にいても、インターネット上で管理する文書情報を、端末にダウンロードして読み、端末で作成した文書をアップロードし、インターネット上のサーバが管理する記憶装置に保存することができる。
【０１０１】
また、印刷された文書に手書きの文字の書き込みがある原稿の情報を、インターネット上に取り込むことが、イメージスキャナの高度な発達によって可能になり、また、インターネット上に保存されていない原稿の情報であっても、それをインターネット上に取り込んで電子データとして扱うことができる。スケッチやメモ書きを扱うことはもちろん、電子データのない印刷原稿、銀塩写真、紙幣、有価証券やチケット、または戸籍謄本、住民票等の公的文書までも、電子データとして取り込むことができ、初めから電子データとして作成することもできる。
【０１０２】
また、医療分野で使われる紙のカルテに、ＲＦＩＤタグ７１を付与して手書き書き込みを含むそのコンテンツをイメージリーダーで読み取り、医療データベースと結合することもでき、また、同時に膨大な数の紙のカルテをそれに付与したＲＦＩＤタグ７１で管理することもできる。ＲＦＩＤタグ７１と検索用のアンテナとがあれば、探そうとするカルテが何処にあるかを簡単に知ることができる。
【０１０３】
上記のようにして、印刷物の画像の元となる電子データであるコンテンツ情報がある場合でも、紙に印刷された印刷情報だけがあって、電子データが存在しない場合、または失われた場合でも、また、電子データに基づいて印刷された印刷物に、後から手書きのような電子的な手段でない方法で、情報が追記された場合でも、さらには、電子データに基づいて印刷された紙を切り貼りして作成した物理的に加工された印刷物の場合でも、基本的には、全ての文書データを電子化することができる。
【０１０４】
さらに、ＯＣＲソフトを用いれば、紙の上の画像情報中の文字を、イメージスキャナで読み取り、文字情報として認識し、電子データとして保存することもできる。
【０１０５】
ところで、紙が従来果たしてきた情報の伝達形態が、インターネット上において縦横無尽に行き交う大量の情報の伝達形態に切り替えられた場合、大量の情報を人間が受け取って理解するためには、多くの場合、何等かのディスプレイを使うことが必要になる。なお、限られた状況では、音声も使用できるが、人間が情報を受け取るためには、視覚を用いる方が、圧倒的に便利である。
【０１０６】
大量の情報を、ディスプレイを通じて、視覚から受け取る際の人間の疲労は、大変なものである。たとえば、長編小説や長文の学術書、または難解な研究論文を読みこなそうとすると、情報量がそれ程大きくない限り、人間の疲労を和らげるという点で、既存の電子ディスプレイよりも紙のほうが圧倒的に読みやすい。
【０１０７】
軽くて、人間が容易に手に持って操作できる紙の場合、紙に記載（印刷）されている内容を、人間が自由な姿勢で読むことができるので、長時間読む間に、姿勢を様々に変えて疲労を軽減することができる。また、紙は、電源や特別の補助装置も不要なので、どんな場所へもそのまま持って行って使用できる。紙は、オフィスの机の上だけでなく電車の中でも使用でき、また、歩きながらでも容易に使用できる。紙に記載される情報量がある程度大きくなると（枚数が多くなると）、紙は持ち運びに不便ではあるが、人間が一度に読む量は限られているので、多数枚の紙を、いくつかの巻に分割して製本することによって、扱いやすくすることは、過去から長く行われてきた。
【０１０８】
また、光を受けることによって、記載内容を視覚で読み取る受光型の情報表示媒体７０である紙は、目に優しい画像を人間に提供することができる。紙は、電子ペーパー等に比べて、画像濃度の格段に大きなコントラストを実現できるので、はるかに見易い。また、紙は、手で触れることができるので、紙に記載された情報には、実体感が伴い、人間が受け入れ易い。
【０１０９】
さらに、紙に対しては、何の予備知識も特別の訓練もなしに、人間が長い間使い慣れてきたペンや鉛筆等の筆記用具で、紙面の何処にでも、自由に書き込みし、これを消すことができる。紙に対する自由な書き込みは、人間が紙の記載（印刷）内容を理解する助けになり、紙の記載（印刷）内容から考えを発展させるきっかけを作る場合もあり、人間の創造力を飛躍させる助けになることもしばしばある。また、机の上に沢山の紙を広げ、それぞれを比較検討し、複数枚の紙を重ね、いくつかの束に分類することも容易である。
【０１１０】
また、上記のような、紙に対する書き込みや分類等、各種操作に関して操作法を習得することは不要である。紙は、落としても壊れず、落とした紙を足で踏んでも、壊れて使えないことはない。さらに、紙は、使用した（印刷や書き込み等を行った）後に、充電する手間等も要らない。
【０１１１】
紙には、上記のような数々の利点があるので、ネットワーク６０上の記憶装置に保存されている情報をしっかりと読みこなそうとするときに、一度には読みこなせない大量の情報を扱う場合を除けば、情報を、ディスプレイに表示するのではなく、読みやすい紙に情報を印刷して利用することが便利である。紙には、基本的に記録媒体としての役割を持たせるのではなく、一時的に情報を紙に表示（印刷、書き込み）し、用が済んだら使い捨てるような使い方が、情報を読む上では、楽である。
【０１１２】
このようにすることによって、紙の最も優れた性質を利用し、紙に不向きな役割は、ネットワークに受け持たせることは、情報を読みやすくし記録にも便利な使い方であり、日常このような使い方はよく行われている。これは、ネットワークシステムに接続した一種のディスプレイとして、紙を機能させることを指向している。さらに、使用した紙は、何回も再生して使用することが既に完成された技術として実際に大規模に行われ、資源の再利用や有効活用という点でも充分な対策がとられている。
【０１１３】
しかし、単なる紙は、通常の電子ディスプレイよりも決定的に不便な点がある。それは、プリンタがあれば、データのダウンロードはかなり自由にできるが、電子ディスプレイ側からのデータの加工や、アップロードが困難であるということである。つまり、紙にプリントアウトされた情報は、そこでシステムと切り離され、電子的な情報処理の可能なネットワーク上の仮想世界から、モノが情報を担う現実世界へ、放り出されたままになり、電子ディスプレイのように、仮想世界に戻って、データ処理を行うことは、大変やりにくい。
【０１１４】
特に、たとえば、電子ファイルから読み出され、プリンタが紙に印刷した情報が、ある程度一人歩きすると、その情報の元となった電子ファイルを利用することは、特定の人以外には、非常に困難である。これは、機密保持上は、必ずしも欠点ではないが、情報を利用するという点では、大きな欠点である。もちろん、イメージスキャナ等の画像読取装置を利用することによって、ある程度は、その情報をシステムに再び取り込むことはできるが、その場合には、元の電子データに比べて、情報が変質し、欠落し、または余計な情報がノイズとして載り、文字情報が画像情報としてしか利用できなくなる。高精彩画像であれば、その情報を完全に復元することは、事実上、不可能である。
【０１１５】
さりとて、紙にプリントアウトされた情報の元となった電子ファイルを、ネットワークから探し出そうとしても、ファイル名がわからず、電子ファイル検索が不可能であることが多い。ファイル名がわかっていても、その電子ファイルが何処にあるかが、判らなければ、電子ファイルを見つけ出せない場合もしばしばある。
【０１１６】
また、上記文書データ作成の電子化において、紙の機能を真似ようとした場合、紙の原稿に対し、情報の印刷、捺印、手書きによる文字の書き込み、または、印刷画像の上から所定の情報を重ねて印刷する等、原稿を加工した場合、その結果を、イメージスキャナ等の画像読取装置で読み取って画像情報として保存するしかなく、元の電子データに遡って修正加工を加えることはできない。
【０１１７】
しかし、電子ディスプレイでは、電子ファイルが表示される限り、上記修正加工を加えることができる。これは、ネットワークと電子ディスプレイとの間の情報の流れを、断ち切らずに保持することができるためである。
【０１１８】
上記のように、紙の場合、情報が一旦システム（コンピュータやプリンタ等）を介して印刷され、システムの外へアウトプットされると、そこで、システムとの間の情報のつながりが断ち切られ、システムへの情報のフィードバックが非常に困難になるという大きな欠点がある。
【０１１９】
そこで、実施例１では、上記図１〜図３で説明したように、紙にＲＦＩＤタグ７１を付与しＲＦＩＤタグ付き情報表示媒体７０を使用し、ＲＦＩＤタグ付き情報表示媒体７０のＲＦＩＤタグ７１に記憶されているＩＤコードを読み取り、この読み取ったＩＤコードによって、ＲＦＩＤタグ付き情報表示媒体７０に印刷された後の印刷情報と、ネットワーク６０上のデータ記憶管理装置５０に保存されているコンテンツ情報との関連付けを行う。
【０１２０】
実施例１では、ネットワーク６０に接続されるクライアント端末４０等の機器において、どのＲＦＩＤタグ付き情報表示媒体（紙）７０に、何を書き込んだかを認識することができ、ＲＦＩＤタグ付き情報表示媒体（紙）７０を用意すれば、それに書き込まれた印刷情報の元となるネットワーク６０上に保存された情報（電子データ）にアクセスすることができる。
【０１２１】
そして、ネットワーク６０上に保存されている情報（電子データ）を、人間が見える形で、ＲＦＩＤタグ付き情報表示媒体（紙）７０の上に表示（印刷）するだけでなく、そのＲＦＩＤタグ付き情報表示媒体（紙）７０に何等かの方法で情報の書き込みができる。この書き込みを、電子ディスプレイ上で行ってもよいが、ＲＦＩＤタグ付き情報表示媒体（紙）７０の上に、手書きで書き込んだり、別の紙情報を貼り付けた場合でも、それを元の情報と区別して読み取り、修正された情報として保存することもできる。
【０１２２】
また、手元にある原稿を複写したい場合、原稿の元となる情報を、ネットワーク６０上から簡単に呼び出して複製を作ることができる。１枚の原稿から、多数枚の紙に複写する場合、光学的に画像を読み取り、複写するのではなく、原稿の元となる情報を、ネットワーク６０上からダウンロードして印刷することによって、複写することができる。または、複写の複写を重ねる必要がある場合でも、全てその原稿の元となる情報を、ネットワーク６０上から呼び出して複製を作ることができるので、光学複写に特有の画質の劣化を避けることができる。
【０１２３】
紙に付与するＩＤ情報（ＩＤコード）の検知方式として、バーコード等の光学式のＩＤ認識方式や磁気を使う方式もあるが、ＩＤ情報を記録しておく手段として、半導体ＩＣによって構成されるＲＦＩＤタグ７１が圧倒的に優れている。たとえば、必要に応じて、後から情報を書き換え、または、書き加えることができる点、重なった多数枚の紙のＩＤ情報を一度に読み取ることができる点、表面が汚れてもＩＤ情報を読み取ることができる点、ＩＤ情報の読取装置３０を小型化できる点、読取装置３０とＲＦＩＤタグ７１との距離がある程度離れ、読み取りが可能な点において、ＲＦＩＤタグ７１が優れている。
【０１２４】
高周波でＩＤ情報の読み取りと書き込みとができ、しかも、その高周波によって、ＲＦ回路の動作のための電力供給まで行うことができるＲＦＩＤタグ７１の特徴を十分に生かすことができる。
【０１２５】
ＲＦＩＤタグ７１を用いる方式によれば、ＲＦＩＤタグ７１に電池を搭載する必要がなく、紙に付与しても違和感が起きないような非常に小さいサイズのＲＦＩＤタグ７１を実現することができる。すなわち、紙等の情報表示媒体７０を、電子ディスプレイと同様のレベルで、電子情報システム１００につなぎ止める上では、ＲＦＩＤタグ７１が圧倒的に優れている。
【０１２６】
実施例１においては、上記のように、原則として、情報表示媒体（紙）７０に付与したＲＦＩＤタグ７１に、上記情報表示媒体７０に印刷したコンテンツの情報を、印刷と重複して記録する必要はない。情報表示媒体７０には、情報の表示機能を持たせ、情報の記録機能は、ネットワーク６０上のサーバ（データ記憶管理装置５０）が管理する記憶装置（データ記憶部５２）に受け持たせる、という役割分担が特徴である。
【０１２７】
これによって、情報表示媒体７０に高精細な高画質情報が印刷してあっても、その高画質情報をＲＦＩＤタグ７１から読み取ったり書き込んだりする必要がなく、情報の読み取りと書き込みとを、極めて短時間で行うことができる。
【０１２８】
情報表示媒体（紙）７０に付与したＲＦＩＤタグ７１は、紙のイメージを壊さずに、紙に付与できる形にする必要があるので、それ程厳重なパッケージングを行わなくても、使用可能でなければならない。このために、ＲＦＩＤタグ７１を構成する半導体ＩＣは、それなりに厳しい環境に晒される。半導体ＩＣに、あまり高密度の集積回路を搭載すれば、ノイズに対する耐久性を低下させ、外界の環境の影響を受けやすくなるので、誤動作を招きやすくなる。したがって、紙に搭載するＲＦＩＤタグ７１であれば、特に、ＲＦＩＤタグ７１を構成する回路は、無理に高集積化せずに、可能な限りシンプルな構成とし、ノイズ耐性や環境耐性を高くする必要がある。
【０１２９】
また、ＲＦＩＤタグ付き情報表示媒体７０に印刷されたコンテンツ情報を、電子情報として保持しなければ、大容量のメモリは不要であり、これはまた、メモリの誤動作の危険を避けることができ、紙として適正な製造コストで、ＲＦＩＤタグ７１を付与できるという大きな利点がある。なお、実際、ＲＦＩＤタグ７１を構成する回路を、単純化できれば、有機半導体による回路の搭載も夢ではない。したがって、特殊な用途を別にすれば、ＲＦＩＤタグ７１に印刷情報を重複して記録する必要はないばかりか、不必要に複雑なチップ（ＲＦＩＤタグ７１を構成する半導体ＩＣ）を用いることは、避けなければならない。
【０１３０】
ＲＦＩＤタグ付き情報表示媒体７０のＲＦＩＤタグ７１に記憶するＩＤコードについては、完全に重複がなく、ネットワーク６０上のデータ記憶管理装置５０に記憶するコンテンツ情報と完全に１：１に対応させることが必要である。
【０１３１】
上記「１：１に対応させる」は、情報表示媒体７０のＩＤコードが決まると、そのコンテンツ情報が完全に決まるという意味である。複写を行なう場合、ＩＤコードが異なる情報表示媒体７０に、同一のコンテンツを印刷することがある。したがって、コンテンツ側からみれば、それを印刷した複数の情報表示媒体７０のＩＤが対応することがあり得る。
【０１３２】
また、情報表示媒体７０に印刷されていないコンテンツに対応する情報表示媒体７０のＩＤコードは存在しない。そして、定められた範囲の中では、ネットワーク６０の何処からでも、ＲＦＩＤタグ７１のＩＤコードから、コンテンツ情報にアクセスできるようにすることが重要である。これを実現するには、たとえば、９６ビットまたは１２８ビット程度のＩＤコードによるアクセス空間で足りる。これによって、コンテンツ情報を誤って読み出しすることを防止できる。また、このようにすることによって、ＲＦＩＤタグ付き情報表示媒体７０に記載されている紙情報と異なるコンテンツ情報が読み出されることを、防止することができる。
【０１３３】
ＩＤコードとコンテンツ情報との対応関係において、コンテンツ情報のファイルのファイル名を使った場合、その重複を完全に防ぐことは難しいし、また充分に小さなデータ量で誤りなくファイルの位置まで指定し、リンクを取ることは現実的ではない。
【０１３４】
複数ページからなるコンテンツ情報が、単一の電子ファイルによって構成されている場合、それを印刷するに際して、その文書のセット全体で、１つのＩＤコードを与えるようにしてもよい。必ずしもＲＦＩＤタグ付き情報表示媒体７０の１枚に、必ず、１個のＩＤコードを与える必要はない。
【０１３５】
実施例１で使用するＩＤコードは、上記のように、たとえば９６ビットまたは１２８ビット程度の大きさで充分である。この程度の大きさのアドレス空間であれば、個々のＲＦＴＤタグ付き情報表示媒体７０を、個別に区別するには充分である。個々のＲＦＩＤタグ付き情報表示媒体７０を誤りなく読み取るために、且つ、多数枚のＲＦＩＤタグ付き情報表示媒体７０を、同時に高速で読み取るためには、最大でも２５６ビット、望ましくは１２８ビット程度のデータ量で、ＩＤコードを構成する必要がある。
【０１３６】
２５６ビットを超える大きさのデータ量は、基本的に不要であるばかりでなく、ＲＦＩＤ読取装置３０が、多数枚のＲＦＴＤタグ付き情報表示媒体７０のＲＦＴＤタグから、ＩＤコードを同時に読み取る際に、ＲＦＩＤ読取装置３０の読み取り速度を十分に高くすることができず、読み取りミスを引き起こす恐れがでてくるので、望ましくない。すなわち、ＲＦＩＤタグ７１が持つデータ量が小さいことが、ＩＤコード読み取りの高速化やＲＦＩＤ読取装置３０と、ＲＦＩＤ書込装置との簡略化や低価格化のために必要である。
【０１３７】
ＩＤコードの例として、上記のように、米国マサチューセッツ工科大学が主管するオートＩＤセンターが用いる物流管理を主目的とした９６ビットのエレクトロニック・プロダクト・コード（ＥＰＣ）や、日本のＴ−Ｅｎｇｉｎフォーラムが設立したユビキタスＩＤセンターの１２８ビットのユビキタスＩＤ（ＵＢＩＤ）等がある。
【０１３８】
実施例１におけるＩＤコードを、これらに一致させて使用することによって、独自の複雑なＩＤコード管理システムを独立に設計する必要がなく、インターネットを活用して今後成熟する物流管理システムや、ユビキタスネットワークシステムの中で、ＩＤデータ処理とその管理とを行うことができるので、標準化という観点からも大きな利点がある。
【実施例２】
【０１３９】
本発明の実施例２は、複数枚のＲＦＩＤタグ付き情報表示媒体（印刷原稿）７０のコンテンツ情報をダウンロードする装置である。つまり、実施例２は、上記のように、ＲＦＩＤタグ付き情報表示媒体７０に印刷するコンテンツ情報を、ネットワーク６０上のサーバ（データ記憶管理装置５０）が管理する記憶装置（データ記憶部５２）から、ダウンロードする方式が、従来例とは異なる。
【０１４０】
すなわち、実施例２では、紙のようなＲＦＩＤタグ付き情報表示媒体７０と、ネットワーク６０上の情報処理システム（クライアント端末４０、データ記憶管理装置５０等）とを、ＲＦＩＤタグ付き情報表示媒体７０に付与したＲＦＩＤタグ７１に記憶されたＩＤコードによって、関連付けるだけではなく、ＲＦＩＤタグ付き情報表示媒体７０に印刷された情報を、必要に応じネットワーク６０から直接呼び出す点が大きな特徴である。
【０１４１】
ＩＤコードは、ネットワーク６０上のサーバ（データ記憶管理装置５０）が管理し、ＩＤコードを鍵とし、記憶装置（データ記憶部５２）に保存されているコンテンツ情報と、そのコンテンツ情報が印刷されたＲＦＩＤタグ付き情報表示媒体７０とを、結びつけるだけでなく、特に、印刷の際には、どのＲＦＩＤタグ付き情報表示媒体７０に印刷を行ったかを記録し、複写要請のような再印刷要請があれば、記憶装置（データ記憶部５２）に保存されているコンテンツ情報を、印刷装置にダウンロードする。
【０１４２】
この処理は、パソコン等のクライアント端末４０を用いず、ＲＦＩＤタグ付き情報表示媒体７０のＲＦＩＤタグ７１に記憶されたＩＤコードを読み取ると共に、印刷装置に対する複写処理命令を行うために印刷装置の複写ボタンを操作するだけで、ネットワーク６０上のデータ記憶管理装置５０からコンテンツ情報を検索し、印刷装置にダウンロードすることが望ましい。または、この処理の一部または全てをネットワーク６０上のサーバ（データ記憶管理装置５０）に依頼してもよいが、原則としてユーザがクライアント端末４０を操作する必要がないようにシステムを構成する。
【０１４３】
原理的には、ＲＦＩＤタグ付き情報表示媒体（紙）７０のＲＦＩＤタグ７１に記憶されたＩＤコードのような、ネットワーク６０上のデータ記憶管理装置５０に保存されているコンテンツ情報のアドレスとの関連を示す情報があれば、様々な方法でコンテンツ情報の電子データを検索することができる。しかし、その手順が、システムとして整備され自動化されて短時間で電子データのダウンロードができるものでなければ、それを実際に日常的に使用することはできない。
【０１４４】
実施例２では、複数のＲＦＩＤタグ付き情報表示媒体（紙）７０のＲＦＩＤタグ７１に記憶されているＩＤコードを、実用上瞬時に読み取り、ＩＤコードに対応する複数のコンテンツ情報の電子データを、ネットワーク６０上のデータ記憶管理装置５０から、短時間でダウンロードする操作を、煩雑なファイル操作やＯＳの操作等を行うことなく、実際上自動的に実現する実施例である。
【０１４５】
たとえば、複数のＲＦＩＤタグ付き情報表示媒体７０のＲＦＩＤタグ７１に記憶されているＩＤコードを、クライアント端末４０に接続されたＲＦＩＤ読取装置３０で読み取ると、クライアント端末４０の電子ディスプレイ上に、それらの文書が表示され、その文書の修正加工作業に入ることができる。
【０１４６】
実施例２では、ネットワーク６０に接続する印刷装置を複写機とすれば、複写機の原稿台に複数のＲＦＩＤタグ付き情報表示媒体（紙）７０を置き、複写ボタンを押すと、即座にＲＦＩＤタグ付き情報表示媒体７０の複数のコンテンツ情報（電子データ）が、自動的にネットワーク６０上のデータ記憶管理装置５０からダウンロードされるので、このダウンロードされたコンテンツ情報を、別のＲＦＩＤタグ付き情報表示媒体（紙）７０に印刷することによって、複写する。
【０１４７】
つまり、実施例２は、原稿の画像を光学的に読み取りそれをそのまま光学的に複写するのではなく、ダウンロードされたコンテンツ情報（電子データ）を、別のＲＦＩＤタグ付き情報表示媒体（紙）７０に印刷することによって、複写する。実施例２では、複数の情報表示媒体７０がある場合には、それらの印刷情報を１枚１枚光学的に読み取る必要がないので、複写時間が短縮され、複写機の光学系が不要であり、特に、原稿自動搬送装置等の複雑な機構が不要であるという大きな利点がある。
【０１４８】
上記コンテンツ情報の印刷が行われたＲＦＩＤタグ付き情報表示媒体７０に対し、別の情報の追加印刷や手書きによる追加書き込み等があれば、ＲＦＩＤタグ付き情報表示媒体７０から、イメージスキャナ等の画像読取装置３０を介して、画像を読み取り、この読取情報を、ＲＦＩＤタグ付き情報表示媒体７０のＲＦＩＤタグ７１に記憶されたＩＤコードが指定する元のコンテンツ情報と比較することによって、追加修正部分を区別して保存することができる。また、元の印刷物が修正変更を受けたことも、記録し、管理することができる。
【０１４９】
上記データ処理を、クライアント端末４０を用いず、印刷装置１０または２０の中で行うか、またはデータ処理をネットワーク６０上のサーバ（データ記憶管理装置５０）に依頼することによって、操作を簡略化できる。ＲＦＩＤタグ付き情報表示媒体７０（原稿）に印刷されている情報の複写や、ＲＦＩＤタグ付き情報表示媒体７０（原稿）に印刷されている情報の修正を行おうとする人が、コンテンツ情報のファイル名をわかっていない場合でも、またはそのファイルが何処にあるのか判らない場合でも、ＲＦＩＤタグ付き情報表示媒体７０があれば、印刷の元になるコンテンツ情報を、ネットワーク６０上のデータ記憶管理装置５０から自動的にダウンロードすることができる。このようにして、電子情報システム１００の中でのＲＦＩＤタグ付き情報表示媒体７０の使いやすさを、格段に引き上げることができる。
【０１５０】
上記ＲＦＩＤタグ付き情報表示媒体７０の使い方の別の応用として、ＲＦＩＤタグ付き情報表示媒体（紙）７０のＲＦＩＤタグ７１のＩＤコードを読み取るＲＦＩＤ読取装置３０を、プリンタやイメージスキャナに組み込むだけでなく、パソコンやＰＤＡ（Ｐｅｒｓｏｎａｌ  Ｄｉｇｉｔａｌ  Ａｓｓｉｓｔａｎｔ）や携帯電話機等のような情報機器に、接続できるように構成すれば、ＲＦＩＤタグ付き情報表示媒体（紙）７０を用意しておくだけで、その印刷内容を上記情報機器のディスプレイに表示することができ、また、加工修正をディスプレイ上で行い、加工修正後の内容を印刷することができる。
【０１５１】
実際には、ＲＦＩＤタグ付き情報表示媒体（紙）７０の情報を、手書き、切り貼りで加工し、原稿にするよりは、ネットワーク６０上からファイルを呼び出し、電子的にデータを加工し、データ加工が完了したら、その内容を印刷する方が、はるかに楽であり、合理的である。従来の方式では、ファイル名がわからなければ、このようなことはできない。
【０１５２】
ＲＦＩＤタグ７１を紙等の情報表示媒体７０に付与し、ＲＦＩＤタグ７１に記憶するＩＤコードを管理する場合、何等かの管理システムを必要とするが、この種の管理システムは、必要に応じ個別に構築することができる。しかし、この種の管理システムが数多く個別に存在するようになると、異なる管理システムで割り振られたＩＤコードを読むことが難しく、ＩＤコードを読み取ることができないことが多発するという欠点がある。この欠点は、ＲＦＩＤタグ付き情報表示媒体７０の使いやすさを著しく悪くする。
【０１５３】
この欠点を解決するためには、できる限り標準化されたＩＤ管理システムを利用することが望ましい。現在、物流管理を主な目的としてＲＦＩＤタグ７１をあらゆる物に付与し、物流管理を総合的に行おうとする試みがある。また、あらゆる電子機器や家電製品、冷暖房設備や風呂等の湯沸し機器、家庭内の防犯用監視システムや火災警報システム等にマイクロプロセッサを組み込んだり、ＩＤ、コードを割り振ることによって、各機器を、ネットワーク６０に接続し、総合的に管理するユビキタスコンピューティングやユビキタスネットワークと呼ばれるシステムが普及し始めている。
【０１５４】
このようにして、無線タグとかゴマ粒チップ等と呼ばれるＲＦＩＤタグ７１を用いることによって、上記のような物流管理や品質管理または家庭内の機器管理に適用されるＩＤコード管理体系を利用できる環境が整いつつある。上記例のように、あらゆる物品にＩＤコードを割り振り、有線通信、または必要なら機器や物にＲＦＩＤタグ７１を貼り付けることによる無線通信を実現し、必要に応じて非接触のＩＤ読取書込装置を世の中の要所要所に配置することによって、物の世界とネットワーク６０の仮想世界とを結びつけることを想定することができる。
【０１５５】
そして、品物の個別チェックを行うと共に、チェックに基づく情報を、インターネットを使って収集することによって、物流の全体管理や、家庭内やオフィスの個々の機器の全体管理を可能にすることができる。このＩＤコード管理体系は、基本的には、そのままＲＦＩＤタグ７１を付与した印刷物の管理に使用することができる。
【０１５６】
米国マサチューセッツ工科大学が提唱するＡｕｔｏ−ＩＤ  Ｃｅｎｔｅｒは、その代表的なものであるし、日本のＴ−Ｅｎｇｉｎｅフォーラムが設立したユビキタスＩＤセンターが提案するシステムも利用できる。こうして、世界中に張り巡らされたインターネットを利用し、物流管理を主目的としたＩＤコード管理体系を、そのまま利用することによって、ＲＦＩＤタグ７１を付与した情報表示媒体（紙）７０に印刷されている情報を、実際上、電子情報システム１００に取り込むことが可能になり、紙の情報保存記録機能をネットワーク６０に移管し、紙の優れた情報表示機能を有効に活用することができる。
【０１５７】
上記実施例を有効に機能させるためには、ＲＦＩＤタグ７１に記憶されているＩＤコードを高周波で読み取るＲＦＩＤ読取装置を内蔵した印刷装置（図１に示す実施例では、ＲＦＩＤ読取部１６を内蔵した印刷装置１０、ＲＦＩＤ読取部２６を内蔵した印刷装置２０）を用いる。印刷時に情報の書き換えを行うことが必要になる可能性があるので、ＲＦＩＤ読取装置だけでなく、ＲＦＩＤ書込装置も、印刷装置に内蔵させるとさらに都合がよい（図１に示す実施例では、ＲＦＩＤ読取部２６とＲＦＩＤ書込部２７とを内蔵した印刷装置２０）。
【０１５８】
ＲＦＩＤ読取装置３０を内蔵した印刷装置（複写機）、またはＲＦＩＤ読取とＲＦＩＤ書込装置とを内蔵した印刷装置（複写機）の原稿台に、ＲＦＩＤタグ付き情報表示媒体７０を置いて読取を指示すれば、ＲＦＩＤタグ付き情報表示媒体７０のＲＦＩＤタグ７１から、自動的にＩＤコードを読み取り、そのＩＤコードに対応するコンテンツ情報を、ネットワーク６０上のデータ記憶管理装置５０からダウンロードするので、コンテンツ情報を印刷することができる。これは、実質的に原稿の複写である。
【０１５９】
上記複写機では、既に述べたように、印刷画像を光学的に読み取る必要がないので、走査光学系が不要であり、機体の小型化と低コスト化とを図ることができる。走査光学系の走査が不要になるので、複写速度を高速化する上で都合がよい。ＲＦＩＤタグ７１は、通信の衝突防止機能を持たせることによって、多数個を実用上同時に読み取らせることが可能であるので、複写機の原稿台にセットする原稿として、多数枚のＲＦＩＤタグ付き情報表示媒体７０を重ねておき、ＲＦＩＤタグ７１のＩＤコードをまとめて読み取り、全ての原稿のコンテンツ情報をまとめて、ネットワーク６０上のデータ記憶管理装置５０からダウンロードし、印刷することができる。この場合、上記複写機では、従来の複写機のような自動的に原稿を原稿台（プラテンガラス）上に送る自動給紙装置が不要である。
【０１６０】
さらに、画像読取装置３０を用意すれば、修正された複数の紙原稿を読み取ることができる。この場合、読み取った複数の原稿の光学画像情報と複数のＩＤコードとに基づいて、ネットワーク６０からダウンロードした修正前の情報と修正後の情報とを比較し、修正部分が何処であるかを検出し、記録することができる。このようにすれば、修正前のコンテンツ情報に追加修正データを書き加え、電子データとして保存することができる。この機能を、文書の改ざんチェックに利用することができる。
【０１６１】
上記のように、実施例２によれば、紙が有する情報保存記録機能を紙から完全に切り離し、コンテンツ情報は、ネットワーク６０上のデータ記憶管理装置５０にＩＤコードに対応付けて保存し、検索によって利用可能であるので、非効率な情報保存記録機能から、紙を開放し、且つ紙の優れた表示品質を温存し、さらに紙に印刷された情報をシステムに簡単に取り込んで加工することが容易であるという効果を奏する。
【０１６２】
さらに、実施例２における上記効果を詳細に説明する。
【０１６３】
コンテンツ情報が印刷されたＲＦＩＤタグ付き情報表示媒体７０のＲＦＩＤタグ７１のＩＤコードとコンテンツ情報とを、ＩＤコードの重複なく１：１に対応させた対応関係を、ネットワーク６０上のデータ記憶管理装置５０に登録しておくことによって、ＲＦＩＤタグ付き情報表示媒体７０に印刷されたコンテンツ情報、コンテンツ情報の印刷履歴、印刷物の存在状態等々を的確に管理することができ、高度なセキュリティを保持しながら、あたかも印刷されたコンテンツ情報もネットワーク６０に接続されているかのように共有することができる。
【０１６４】
また、ＲＦＩＤタグ付き情報表示媒体７０のＲＦＩＤタグ７１のＩＤコードとコンテンツ情報とを、ＩＤコードの重複なく１：１に対応させることによって、ＲＦＩＤタグ付き情報表示媒体７０に印刷されたコンテンツ情報を必要に応じ、ネットワーク６０から直接呼び出すことができる。
【０１６５】
また、ＩＤコードとコンテンツ情報とを１：１に対応させた対応関係を、ネットワーク６０上のデータ記憶管理装置５０に登録してあるＲＦＩＤタグ付き情報表示媒体（印刷原稿）７０があれば、そのコンテンツ情報を、ネットワーク６０上のデータ記憶管理装置５０から自動的に読み出して利用することができるので、ＲＦＩＤタグ付き情報表示媒体（印刷原稿）７０に印刷されたコンテンツ情報の修正を、完全にクライアント端末４０の電子ディスプレイ上で行うことができる。
【０１６６】
また、ＲＦＩＤタグ付き情報表示媒体（印刷原稿）７０に対する修正後のコンテンツ情報を、ネットワーク６０上の印刷装置によって、別のＲＦＩＤタグ付き情報表示媒体７０に印刷することによって、修正跡のないＲＦＩＤタグ付き情報表示媒体（印刷原稿）７０を得ることができるばかりでなく、修正後のコンテンツ情報も、電子データとして、ネットワーク６０上のデータ記憶管理装置５０に記憶し、保存することができる。
【０１６７】
また、ネットワーク６０上のデータ記憶管理装置５０に保存されているコンテンツ情報（電子データ）は、ＲＦＩＤタグ付き情報表示媒体（紙）７０との関連性を考えなければ、従来どおりの電子ファイル操作が可能であり、ＲＦＩＤタグ付き情報表示媒体（紙）７０に印刷したり、ＲＦＩＤタグ付き情報表示媒体（紙）７０から読み取ったり修正したりする場合だけ、ＲＦＩＤタグ７１に記憶されたＩＤコードに基づく、コンテンツ情報とＲＦＩＤタグ付き情報表示媒体７０との対応関係を活用することができる。
【０１６８】
また、ＲＦＩＤタグ付き情報表示媒体７０に印刷されたコンテンツ情報を、ネットワーク６０上のデータ記憶管理装置５０に登録し管理するので、ユーザにとってセキュリティに注意を要するコンテンツの印刷物を容易に作成することができる。
【０１６９】
また、印刷物の複製を作成する際に、全てその印刷物（印刷原稿）の元となる情報を、ネットワーク６０上のデータ記憶管理装置５０から呼び出し、印刷装置によって複写する（複製を作る）ことができるので、光学複写に特有の画質の劣化を起こすことなく、オリジナルの印刷物と同様の印刷物を作成することができる。
【０１７０】
また、コンテンツを管理する立場にとっては、コンテンツに関する印刷情報を見ることによって、関連する印刷物の全てを管理することができる。
【０１７１】
さらに、具体的に手順を説明すると、ＲＦＩＤタグ付き情報表示媒体（印刷原稿）７０のコンテンツ情報は、クライアント端末４０において作成され、データ記憶管理装置５０のデータ記憶部５２に登録され、保存されている。このコンテンツ情報は、印刷時に複数のＲＦＩＤタグ付き情報表示媒体（印刷原稿）７０のＲＦＩＤタグ７１から読み取った複数のＩＤコードのそれぞれと１：１に関連付けられ、その対応関係もデータ記憶管理装置５０のデータ記憶部５２に保存されている。
【０１７２】
先ず、クライアント端末４０に接続したＲＦＩＤ読取装置３０のＲＦＩＤ読取部３５（読取ヘッド）に、複数枚のＲＦＩＤタグ付き情報表示媒体（印刷原稿）７０を重ねたままの状態で近づけ、それら全てのＩＤコードを一括して同時に読み取る。次に、クライアント端末４０の制御部内の電子情報システム１００は、上記ＩＤコードを用いてネットワーク６０上の複数のデータ記憶管理装置５０の何れかに登録保存されている上記複数枚のＲＦＩＤタグ付き情報表示媒体（印刷原稿）７０に対応するコンテンツ情報を検索し、クライアント端末４０のハードディスクにダウンロードし、コンテンツ情報のファイルの位置を、電子ディスプレイに表示する。
【０１７３】
次に、電子情報システム１００は、上記コンテンツ情報のファイルを、電子ディスプレイ上に表示する。これによって、操作者が必要に応じて順次、電子ディスプレイ上で、修正加工を行う。電子情報システム１００は、操作者による修正が終了したら、修正後のコンテンツ情報を、データ記憶管理装置５０のデータ記憶部５２に、新たに登録し、保存する。
【０１７４】
そして、電子情報システム１００は、ネットワーク６０に接続されている印刷装置１０または２０が、コンテンツ情報を、新たなＲＦＩＤタグ付き情報表示媒体（紙）７０に印刷する。電子情報システム１００は、印刷装置１０または２０によって印刷する際に、新たなＲＦＩＤタグ付き情報表示媒体（紙）７０のＲＦＩＤタグ７１のＩＤコードを、ＲＦＩＤ読取装置３０が読み取り、ＩＤコードと上記修正登録したコンテンツ情報との対応関係を、同じくデータ記憶管理装置５０のデータ記憶部５２に保存する。こうして、複数枚のＲＦＩＤタグ付き情報表示媒体（印刷原稿）７０から、実施例１とほぼ同様にして、電子的な修正を行った修正印刷原稿を作ることができる。
【０１７５】
なお、データ記憶管理装置５０は、複数のＲＦＩＤタグ付き情報表示媒体７０に同じ情報を、印刷装置が印刷する場合、印刷装置のＲＦＩＤ読取部が、複数のＲＦＩＤタグ付き情報表示媒体７０から読み取り、転送されるＩＤコードを、コンテンツ情報と対応付ける際、複数のＲＦＩＤタグ付き情報表示媒体７０のそれぞれのＩＤコードと、印刷する単一の（同一の）コンテンツ情報とを対応付ける。
【０１７６】
上記のように、実施例２によれば、紙が有する情報保存記録機能を紙から完全に切り離し、コンテンツ情報は、ネットワーク６０上のデータ記憶管理装置５０に保存するので、非効率な情報保存記録機能から、紙を開放し、且つ紙の優れた表示品質を温存し、さらに紙に印刷された情報をシステムに簡単に取り込んで加工することを、容易に実行することができるという効果を奏する。
【０１７７】
ＲＦＩＤタグ付き情報表示媒体（印刷原稿）７０のコンテンツ情報は、クライアント端末４０において作成され、データ記憶管理装置５０のデータ記憶部５２に登録され保存されている。そのコンテンツ情報は、印刷時にＲＦＩＤタグ付き情報表示媒体（印刷原稿）７０のＲＦＩＤタグ７１から読み取ったＩＤコードと、１：１に関連付けられ、その対応関係もデータ記憶管理装置５０のデータ記憶部５２に保存されている。
【０１７８】
ＲＦＩＤタグ付き情報表示媒体（印刷原稿）７０が複数枚ある場合も、その原稿修正手順は、図２および図３に示す手順と、ほぼ同様である。
【０１７９】
先ず、クライアント端末４０に接続したＲＦＩＤ読取装置３０のＲＦＩＤ読取部３５（読取ヘッド）に、複数枚のＲＦＩＤタグ付き情報表示媒体（印刷原稿）７０を重ねたままの状態で近づけ、それら全てのＩＤコードを一括して同時に読み取る。次に、クライアント端末４０の制御部内の情報システムは、上記ＩＤコードを用いてネットワーク６０上の複数のデータ記憶管理装置５０の何れかに登録保存されている上記複数枚のＲＦＩＤタグ付き情報表示媒体（印刷原稿）７０に対応したコンテンツ情報を検索し、クライアント端末４０のハードディスクにダウンロードし、コンテンツ情報のファイルの位置を、電子ディスプレイに表示する。
【０１８０】
次に、クライアント端末４０内の情報システムは、上記コンテンツ情報のファイルを電子ディスプレイ上に表示する。これによって、操作者が必要に応じて、順次、電子ディスプレイ上で、修正加工を行う。クライアント端末４０内の情報システムは、操作者による修正が終了したら、修正後のコンテンツ情報を、データ記憶管理装置５０のデータ記憶部５２に、新たに登録し、保存する。
【０１８１】
そして、クライアント端末４０内の情報システムは、ネットワーク６０に接続されている印刷装置１０または２０によって、コンテンツ情報を、新たなＲＦＩＤタグ付き情報表示媒体（紙）７０に印刷する。電子情報システム１００は、印刷装置１０または２０によって印刷する際に、新たなＲＦＩＤタグ付き情報表示媒体（紙）７０のＲＦＩＤタグ７１のＩＤコードを、ＲＦＩＤ読取装置３０が読み取り、ＩＤコードと、上記修正登録したコンテンツ情報との対応関係を、同じくデータ記憶管理装置５０のデータ記憶部５２に保存する。こうして、複数枚のＲＦＩＤタグ付き情報表示媒体（印刷原稿）７０から、実施例１とほぼ同様にして、電子的な修正を行った修正印刷原稿を作ることができる。
【０１８２】
なお、データ記憶管理装置５０は、印刷装置が、複数のＲＦＩＤタグ付き情報表示媒体７０に同じ情報を印刷する場合、印刷装置のＲＦＩＤ読取部が、複数のＲＦＩＤタグ付き情報表示媒体７０から読み取り、転送されるＩＤコードをコンテンツ情報と対応付ける際、複数のＲＦＩＤタグ付き情報表示媒体７０のそれぞれのＩＤコードと、印刷する単一の（同一の）コンテンツ情報とを対応付ける。
【０１８３】
上記のように、実施例２によれば、紙が有する情報保存記録機能を、紙から完全に切り離し、コンテンツ情報を、ネットワーク６０上のデータ記憶管理装置５０に保存するので、非効率な情報保存記録機能から、紙を開放し、且つ紙の優れた表示品質を温存し、さらに紙に印刷された情報をシステムに簡単に取り込んで加工することを、容易に実行することができるという効果がある。
【実施例３】
【０１８４】
本発明の実施例３は、印刷装置１０、２０と、クライアント端末４０と、データ記憶管理装置５０と、ネットワーク６０とを有する電子情報システムであり、この構成は、図１に示す実施例１から、ＲＦＩＤ読取装置３０を除外したシステムであり、詳細は上記の通りであるので、その説明を省略する。
【０１８５】
実施例３は、クライアント端末４０に、ＲＦＩＤ読取装置３０が接続されていないので、たとえば、携帯電話機にＲＦＩＤ読取装置３０を組み込んだものである。
【０１８６】
携帯電話機に組み込まれたＲＦＩＤ読取装置３０によって、重ねられた複数のＲＦＩＤタグ付き情報表示媒体（印刷原稿）７０のＲＦＩＤタグ７１から、複数のＩＤコードを非接触で読み取り、ｉモード（携帯電話機からインターネットに接続するサービス）を活用し、ＲＦＩＤタグ付き情報表示媒体（印刷原稿）７０のコンテンツ情報を、ネットワーク６０上のデータ記憶管理装置５０から自動的に検索し、この検索されたコンテンツ情報を、Ｅ−ｍａｉｌによって、クライアント端末４０に転送する。携帯電話機のＲＦＩＤ読取装置３０によるＩＤコードの読み取りの際に、ＲＦＩＤタグ付き情報表示媒体（印刷原稿）７０のＲＦＩＤが付与してある部分に、携帯電話機のＲＦＩＤ読取装置３０の読取ヘッドをかざし、携帯電話機に設けてある読取ボタンを押す。クライアント端末４０のＥ−ｍａｉｌアドレスを、携帯電話機から入力する。
【０１８７】
携帯電話機を介して入力されたダウンロード先のクライアント端末４０のＥ−ｍａｉｌアドレスと、携帯電話機に組み込まれているＲＦＩＤ読取装置３０が読み取ったＩＤコードで指定されているコンテンツ情報とを、上記Ｅ−ｍａｉｌアドレスに転送する要求が、ｉモードによってネットワーク６０上のデータ記憶管理装置５０に対して送信される。
【０１８８】
これら一連の操作を、自動的に処理することによって、コンテンツ情報転送先のクライアント端末４０のＥ−ｍａｉｌアドレスを、携帯電話機で入力し、ＲＦＩＤタグ付き情報表示媒体（印刷原稿）７０のＲＦＩＤタグ７１のＩＤコードを、携帯電話機のＲＦＩＤ読取装置３０が読み取れば、上記一連の処理が自動的に実行され、データ記憶管理装置５０からクライアント端末４０に、コンテンツ情報が、Ｅ−ｍａｉｌで転送される。
【０１８９】
操作者は、クライアント端末４０に転送されたコンテンツ情報のファイルを開き、電子ディスプレイ上に表示する。さらに、操作者は、電子ディスプレイ上に表示された表示内容をチェックし、修正が必要な場合には、修正し、その表示内容の一部または全部を他の文書に利用する場合には、画面の切り取り、コピー、または貼り付けを行い、文書を加工する。文書の加工が終了したら、それを登録し、必要に応じて、ＲＦＩＤタグ付き情報表示媒体（紙）７０に印刷する。
【０１９０】
この場合、ＲＦＩＤリーダ内蔵印刷装置（印刷装置１０または２０）を使用し、別のＲＦＩＤタグ付き情報表示媒体（紙）７０に、上記加工された後の文書を印刷する際に、ＲＦＩＤリーダ内蔵印刷装置のＲＦＩＤリーダが、上記ＲＦＩＤタグ付き情報表示媒体（紙）７０のＲＦＩＤタグ７１から新しいＩＤコードを読み取り、この読み取られたＩＤコードと、上記加工された文書のコンテンツ情報との対応関係を、データ記憶管理装置５０に保存する。このようにして加工された後のＲＦＩＤタグ付き情報表示媒体（印刷原稿）７０と、そのコンテンツ情報との関連付けを維持する。
【０１９１】
加工後のＲＦＩＤタグ付き情報表示媒体（印刷原稿）７０に対応するコンテンツ情報を複写したい場合、ＲＦＩＤリーダ内蔵印刷装置によって、ＲＦＩＤタグ付き情報表示媒体（印刷原稿）７０のＲＦＩＤタグ７１からＩＤコードを読み取らせ、コンテンツ情報をデータ記憶管理装置５０から自動的にダウンロードし、印刷すればよい。これによって、ＲＦＩＤタグ付き情報表示媒体（印刷原稿）７０の光学的な読み取りを行うことなく、ＲＦＩＤタグ付き情報表示媒体７０（原稿）を複写することができる。
【０１９２】
なお、携帯電話機に内蔵したＲＦＩＤ読取装置３０を、原稿以外に付与されたＲＦＩＤタグ７１のＩＤコードの読み取りに使用することによって、携帯電話機の物品認識能力を拡大し、汎用性を持たせることができる。また、携帯電話機に、ＲＦＩＤ読取装置３０を内蔵した場合以外に、ＰＤＡ等の携帯端末に、ＲＦＩＤ読取装置３０を内蔵するようにしてもよく、この場合も、上記と同様の効果がある。
【０１９３】
上記のように、実施例３によれば、紙が有する情報保存記録機能を紙から完全に切り離し、コンテンツ情報を、ネットワーク６０上のデータ記憶管理装置５０に保存することによって、非効率な情報保存記録機能から、紙を開放し、且つ紙の優れた表示品質を温存し、さらに紙に印刷された情報をシステムに簡単に取り込んで加工することを、容易に実行することができるという効果を奏する。
【実施例４】
【０１９４】
本発明の実施例４である電子情報システム１００は、印刷装置１０、２０と、ＲＦＩＤ読取装置３０と、クライアント端末４０と、データ記憶管理装置５０と、ネットワーク装置６０とを有し、これらの構成は、図１に示す実施例１と同様であり、それらの詳細は上記したので、説明を省略する。
【０１９５】
実施例４では、クライアント端末４０において、電子ディスプレイを用いて文書を作成し、この作成された文書のコンテンツ情報を、ネットワーク６０上のデータ記憶管理装置５０に登録する。この文書のコンテンツ情報を、ＲＦＩＤリーダ内蔵印刷装置（印刷装置１０または２０）によって、複数枚のＲＦＩＤタグ付き情報表示媒体（紙）７０に印刷し、ＲＦＩＤリーダ内蔵印刷装置のＲＦＩＤリーダによってＲＦＩＤタグ付き情報表示媒体（紙）７０のＲＦＩＤタグ７１のＩＤコードを、印刷時に読み取り、上記コンテンツ情報とＩＤコードとを関連付けてデータ記憶管理装置５０に登録し、保存する。コンテンツ情報が印刷されたＲＦＩＤタグ付き情報表示媒体（印刷原稿）７０は、複数枚となり、それぞれのＲＦＩＤタグ７１のＩＤコードとコンテンツ情報とを関連付ける。
【０１９６】
この後に、複数枚のＲＦＩＤタグ付き情報表示媒体（印刷原稿）７０を封筒に入れ、封印をして発送準備をする。封印をした後に、ＲＦＩＤタグ付き情報表示媒体（印刷原稿）７０を確認する必要が生じた場合、ＲＦＩＤ読取装置３０が、封筒内のＲＦＩＤタグ付き情報表示媒体（印刷原稿）７０の複数のＲＦＩＤタグ７１のＩＤコードを、非接触で読み取り、自動的にそのＩＤコードに対応するコンテンツ情報をデータ記憶管理装置５０からクライアント端末４０にダウンロードし、クライアント端末４０の電子ディスプレイ上で、上記封印されたＲＦＩＤタグ付き情報表示媒体（印刷原稿）７０の文面を確認する。このように、封印した封筒を、開封することなく、発送前にその内容をチェックすることができる。
【０１９７】
実施例４によれば、紙が有する情報保存記録機能を、紙から完全に切り離し、コンテンツ情報を、ネットワーク６０上のデータ記憶管理装置５０に保存することによって、非効率な情報保存記録機能から、紙を開放し、且つ紙の優れた表示品質を温存し、さらに紙に印刷された情報をシステムに簡単に取り込んで加工することを、容易に実行することができるという効果を奏する。
【０１９８】
実施例４では、電子情報システム１００は、図１に示す構成であるが、印刷装置１０、２０、ＲＦＩＤ読取装置３０、クライアント端末４０、データ記憶管理装置５０の設置台数を、任意の台数にすることができる。また、ＲＦＩＤ読取装置３０の他に、ＲＦＩＤ書込装置、ＲＦＩＤ読取／ＲＦＩＤ書込装置等を、設置するようにしてもよい。
【０１９９】
実施例４の機能を実現するソフトウェアのプログラム（図２、図３に示すフローチャート）を、コンピュータまたはＣＰＵに供給し、そのコンピュータまたはＣＰＵが該供給されたプログラムを読出して実行することによって、達成することができる。
【０２００】
この場合、上記プログラムを記録している記憶媒体から、上記プログラムが直接供給されるか、またはインターネット、商用ネットワーク６０、またはローカルエリアネットワーク等に接続される不図示の他のコンピュータやデータベース等から、上記プログラムをダウンロードするようにしてもよい。
【０２０１】
上記プログラムの形態は、オブジェクトコード、インタプリタによって実行されるプログラムコード、ＯＳ（オペレーティングシステム）に供給されるスクリプトデータ等の形態であってもよい。
【０２０２】
また、上記プログラムを記憶した記憶媒体を、コンピュータまたはＣＰＵに供給し、そのコンピュータまたはＣＰＵが記憶媒体に記憶されているプログラムを読出して実行するようにしてもよい。
【０２０３】
この場合、格納媒体から読出されたプログラムコード自体が、上記実施例の機能を実現し、また、そのプログラムコードを記憶した記憶媒体は、本発明を構成する。
【０２０４】
プログラムコードを記憶する記憶媒体としては、たとえば、ＲＯＭ、ＲＡＭ、ＮＶ−ＲＡＭ、フロッピー（登録商標）ディスク、ハードディスク、光ディスク（登録商標）、光磁気ディスク、ＣＤ−ＲＯＭ、ＭＯ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、磁気テープ、不揮発性のメモリカード等がある。
【０２０５】
コンピュータから読出されたプログラムコードを実行することによって実施例を構成するばかりでなく、コンピュータ上で稼動するＯＳ等が、プログラムコードの指示に基づいて実際の処理の一部または全部を実行することによって、実施例を構成するようにしてもよい。
【０２０６】
さらに、上記ソフトウェアのプログラムが、ネットワーク６０上のデータベースまたはホームページから、通信プログラムによってダウンロードされ、このダウンロードされたプログラムを読出し、実行することによって、上記実施例を構成することができる。
【０２０７】
クライアントコンピュータのブラウザを用いてインターネットのホームページに接続し、この接続されたホームページから、コンピュータプログラム自体、または自動インストール機能を含む圧縮ファイルを、ハードディスク等の記憶媒体にダウンロードすることによって、上記プログラムを供給するようにしてもよい。
【０２０８】
また、プログラムコードを暗号化した上で格納したＣＤ−ＲＯＭ等の記憶媒体をユーザに配布し、所定の条件をクリアしたユーザに、インターネットを介してホームページから暗号化を解く鍵情報をダウンロードさせ、その鍵情報を使用することによって、暗号化されたプログラムコードを実行し、コンピュータにインストールさせることによって、上記プログラムを供給するようにしてもよい。
【０２０９】
プログラムコードを複数のファイルに分割し、この分割された各ファイルを、異なるホームページからダウンロードすることによって、上記実施例を実現するようにしてもよい。すなわち、上記実施例の機能処理をコンピュータで実現させるプログラムファイルを、複数のユーザにダウンロードさせるＷＷＷサーバも、本発明の実施例の一例である。
【０２１０】
また、記憶媒体から読出されたプログラムが、コンピュータに挿入された機能拡張ボードまたはコンピュータに接続された機能拡張ユニットに備えられたメモリに書き込まれた後に、そのプログラムの指示に基づいて、その機能拡張ボードまたは機能拡張ユニットに備えられたＣＰＵまたはＭＰＵ等が実際の処理の一部または全部を実行することによっても、上記実施例を実現するようにしてもよい。
【０２１１】
また、上記各実施例において、情報表示媒体７０を重ねた順序を指定する情報と、ＩＤコードとを、各ＲＦＩＤタグ７１に記録し、実際に重ねた順序によらずに、ＩＤ情報を読み取り、指定された順序で印刷するようにしてもよい。
【０２１２】
さらに、上記各実施例において、上記読取手段３０を、ネットワーク６０に接続可能な携帯電話に内蔵するだけでなく、携帯電話以外の携帯端末に内蔵するようにしてもよい。
【０２１３】
そして、上記各実施例において、情報表示媒体７０のＩＤコードを、情報表示媒体７０に印刷されているコンテンツ情報のファイル名としても用いるようにしてもよい。
【０２１４】
また、上記各実施例において、情報表示媒体７０に対するコンテンツ情報の印刷時に、情報表示媒体７０のＩＤコードを、必要に応じて書き換えできるようにしてもよい。
【０２１５】
さらに、上記各実施例において、情報表示媒体７０のＲＦＩＤタグ７１に対するＩＤコードの読み取り、またはＩＤコードの読み取りおよび書き込みは、電磁波によって行う。これによって、コンテンツ情報を印刷した情報表示媒体７０を、たとえば封筒に入れ封印した後に、封筒内の情報表示媒体７０の文面を開封せずにチェックすることができる。
【０２１６】
そして、上記各実施例において、上記印刷手段は、上記読取手段で情報表示媒体７０から読み取ったＩＤコードを、情報表示媒体７０に印刷するコンテンツ情報のアドレスと対応付けて上記記憶手段に転送する。これによって、ネットワーク６０上の記憶手段に保存される印刷されたコンテンツ情報とＩＤコードとの関連付けが容易となる。
【０２１７】
また、上記各実施例において、情報表示媒体７０のＲＦＩＤタグ７１のＩＤコードのデータ形式を、標準化された既存のＩＤコードのデータ形式に一致させてもよい。
【図面の簡単な説明】
【０２１８】
【図１】本発明の実施例１である電子情報システム１００のブロック図である。
【図２】実施例１におけるデータの流れを模式的に示す図である。
【図３】電子情報システム１００において、ＲＦＩＤタグ付き情報表示媒体７０を用いて、多数枚の原稿を複写する動作を示すフローチャートである。
【図４】電子情報システム１００において、複数の情報表示媒体７０における原稿を修正する動作を示すフローチャートである。
【符号の説明】
【０２１９】
１００…電子情報システム、
１０、２０…印刷装置、
３０…ＲＦＩＤ読取装置、
４０…クライアント端末、
５０…データ記憶管理装置、
６０…ネットワーク、
７０…ＲＦＩＤタグ付き情報表示媒体、
７１…ＲＦＩＤタグ。
【図１】
2006053686.tif 000003
【図２】
2006053686.tif 000004
【図３】
2006053686.tif 000005
【図４】
2006053686.tif 000006